(57)【要約】      （修正有）【課題】低侵襲の外科手術及び仮想現実システムを提供する。【解決手段】外科手術で使用するためのシステムには、中心体１０１、中心体に操作可能に接続された明視化システム、ビデオレンダリングシステム、ビデオレンダリングシステムからの画像を表示するための頭部装着型ディスプレイ、センサシステム、及び中心体に操作可能に接続されたロボットデバイスが含まれる。明視化システムには、少なくとも１つのカメラ１０２、ならびにパンシステム及び／またはチルトシステムが含まれる。センサシステムは、頭部装着型ディスプレイの空間内での基準点に対する位置及び／または配向を追跡する。パンシステム及び／またはチルトシステムは、頭部装着型ディスプレイの空間内での基準点に対する位置及び配向のうちの少なくとも１つの変化に関するセンサシステムからの情報に応答して、カメラの視野を調整するように構成されている。【選択図】図１Ａ
2020036931.tif 000002
【特許請求の範囲】
【請求項１】
外科手術で使用するためのシステムであって、
ａ．中心体と、
ｂ．前記中心体に操作可能に接続された明視化システムであって、
ｉ．少なくとも１つのカメラ、及び、
ｉｉ．パンシステム及びチルトシステムのうちの少なくとも１つ、を備える、明視化システムと、
ｃ．前記少なくとも１つのカメラからの情報に基づいて画像を生成するためのビデオレンダリングシステムと、
ｄ．前記ビデオレンダリングシステムからの画像を表示するための頭部装着型ディスプレイと、
ｅ．前記頭部装着型ディスプレイの空間内での基準点に対する位置、及び前記頭部装着型ディスプレイの空間内での前記基準点に対する配向のうちの少なくとも１つを追跡するためのセンサシステムであって、前記パンシステム及び前記チルトシステムのうちの少なくとも１つが、前記頭部装着型ディスプレイの空間内での前記基準点に対する位置及び配向のうちの少なくとも１つの変化に関する前記センサシステムからの情報に応答して、前記カメラの視野を調整するように構成されている、センサシステムと、
ｆ．前記中心体に操作可能に接続されたロボットデバイスと、
を備える、システム。
【請求項２】
前記ビデオレンダリングシステムが、更に、前記センサシステムからの情報に基づいて、前記生成された画像の視野をデジタル調整するためのものである、請求項１に記載のデバイス。
【請求項３】
前記明視化システムが、第２のカメラを更に備える、請求項１に記載のデバイス。
【請求項４】
前記ビデオレンダリングシステムによって生成された前記画像が、前記第１及び第２のカメラからの情報に基づく立体画像を含む、請求項３に記載のデバイス。
【請求項５】
挿入構成において、挿入軸に垂直な面での前記明視化システムの断面寸法が、前記挿入軸に沿った前記第１のカメラと前記第２のカメラとの中心間距離よりも小さい、請求項３に記載のデバイス。
【請求項６】
複数のカメラを備える、請求項１に記載のデバイス。
【請求項７】
前記ビデオレンダリングシステムが、前記複数のカメラからのシグナル情報を織り交ぜるソフトウェアに基づいて画像を生成する、請求項６に記載のデバイス。
【請求項８】
前記カメラの位置及び配向のうちの少なくとも１つを測定するための少なくとも１つのカメラセンサを更に備える、請求項１に記載のデバイス。
【請求項９】
前記ロボットデバイスが、
ａ．前記ロボットデバイスの１つの部分を前記ロボットデバイスの別の部分に対して回転させるための第１の回転式アクチュエータと、
ｂ．前記第１の回転式アクチュエータに操作可能に連結された前記ロボットデバイスの１つの部分と前記ロボットデバイスの別の部分との間の角度を変化させるための第１のヒンジ式アクチュエータと、を更に備える、請求項１に記載のデバイス。
【請求項１０】
前記ロボットデバイスが、前記ロボットデバイスを前記中心体の第１の側部または第２の側部のいずれかで使用することができるように、前記ロボットデバイスの位置を前記中心体に対して変化させるための位置アクチュエータを更に備える、請求項９に記載のデバイス。
【請求項１１】
前記ロボットデバイスが、
ａ．前記ロボットデバイスの第１の部分を前記ロボットデバイスの第２の部分に対して回転させるための第１の回転式アクチュエータと、
ｂ．前記第１の回転式アクチュエータに操作可能に連結された前記ロボットデバイスの第３の部分と前記ロボットデバイスの第４の部分との間の角度を変化させるための第１のヒンジ式アクチュエータと、
ｃ．前記第１のヒンジ式アクチュエータに操作可能に連結された前記ロボットデバイスの第５の部分を前記ロボットデバイスの第６の部分に対して回転させるための第２の回転式アクチュエータと、
ｄ．前記第２の回転式アクチュエータに操作可能に連結された前記ロボットデバイスの第７の部分と前記ロボットデバイスの第８の部分との間の角度を変化させるための第２のヒンジ式アクチュエータと、
ｅ．前記第２のヒンジ式アクチュエータに操作可能に連結された前記ロボットデバイスの第９の部分を前記ロボットデバイスの第１０の部分に対して回転させるための第３の回転式アクチュエータと、
ｆ．前記第３の回転式アクチュエータに操作可能に連結された前記ロボットデバイスの第１１の部分と前記ロボットデバイスの第１２の部分との間の角度を変化させるための第３のヒンジ式アクチュエータと、
ｇ．前記第３のヒンジ式アクチュエータに操作可能に連結された外科手術用エンドエフェクタと、
を更に備える、請求項１に記載のデバイス。
【請求項１２】
第２のロボットデバイスであって、
ａ．前記第２のロボットデバイスの第１の部分を前記第２のロボットデバイスの第２の部分に対して回転させるための第４の回転式アクチュエータと、
ｂ．前記第４の回転式アクチュエータに操作可能に連結された前記第２のロボットデバイスの第３の部分と前記第２のロボットデバイスの第４の部分との間の角度を変化させるための第４のヒンジ式アクチュエータと、
ｃ．前記第４のヒンジ式アクチュエータに操作可能に連結された前記第２のロボットデバイスの第５の部分を前記第２のロボットデバイスの第６の部分に対して回転させるための第５の回転式アクチュエータと、
ｄ．前記第５の回転式アクチュエータに操作可能に連結された前記第２のロボットデバイスの第７の部分と前記第２のロボットデバイスの第８の部分との間の角度を変化させるための第５のヒンジ式アクチュエータと、
ｅ．前記第５のヒンジ式アクチュエータに操作可能に連結された前記第２のロボットデバイスの第９の部分を前記第２のロボットデバイスの第１０の部分に対して回転させるための第６の回転式アクチュエータと、
ｆ．前記第６の回転式アクチュエータに操作可能に連結された前記第２のロボットデバイスの第１１の部分と前記第２のロボットデバイスの第１２の部分との間の角度を変化させるための第６のヒンジ式アクチュエータと、
ｇ．前記第６のヒンジ式アクチュエータに操作可能に連結された第２の外科手術用エンドエフェクタと、を備えるてなる、第２のロボットデバイスを更に備える、請求項１１に記載のデバイス。
【請求項１３】
外科手術用ロボットデバイスであって、
ａ．前記ロボットデバイスの第１の部分を前記ロボットデバイスの第２の部分に対して回転させるための第１のケーブル駆動型回転式アクチュエータと、
ｂ．前記第１のケーブル駆動型回転式アクチュエータに操作可能に連結された前記ロボットデバイスの第３の部分と前記ロボットデバイスの第４の部分との間の角度を変化させるための第１のケーブル駆動型ヒンジ式アクチュエータと、
ｃ．前記第１のケーブル駆動型ヒンジ式アクチュエータに操作可能に連結された前記ロボットデバイスの第５の部分を前記ロボットデバイスの第６の部分に対して回転させるための第２のケーブル駆動型回転式アクチュエータと、
ｄ．前記第２のケーブル駆動型回転式アクチュエータに操作可能に連結された前記ロボットデバイスの第７の部分と前記ロボットデバイスの第８の部分との間の角度を変化させるための第２のケーブル駆動型ヒンジ式アクチュエータと、
ｅ．前記第２のケーブル駆動型ヒンジ式アクチュエータに操作可能に連結された前記ロボットデバイスの第９の部分を前記ロボットデバイスの第１０の部分に対して回転させるための第３のケーブル駆動型回転式アクチュエータと、
ｆ．前記第３の回転式アクチュエータに操作可能に連結された前記ロボットデバイスの第１１の部分と前記ロボットデバイスの第１２のケーブル駆動部分との間の角度を変化させるための第３のケーブル駆動型ヒンジ式アクチュエータと、
ｇ．前記第３のケーブル駆動型ヒンジ式アクチュエータに操作可能に連結された外科手術用エンドエフェクタと、
を備える、外科手術用ロボットデバイス。
【請求項１４】
前記ロボットデバイスが、部分的に患者の身体内に設置される、請求項１３に記載のロボットデバイス。
【請求項１５】
前記ロボットデバイスが、完全に患者の身体内に設置される、請求項１３に記載のロボットデバイス。
【請求項１６】
ロボットアクチュエータであって、
ａ．第１の本体であって、
ｉ．前記ロボットアクチュエータを近位システムに連結させる近位接続部品と、
ｉｉ．第１の軸受面と、を備える、第１の本体と、
ｂ．第２の本体であって、
ｉ．前記ロボットアクチュエータを遠位システムに連結させる遠位接続部品と、
ｉｉ．前記第１の軸受面を有する軸受を形成し、前記軸受がそれによって少なくとも１自由度で前記第１の本体の動きを前記第２の本体の動きに対して制限する、第２の軸受面と、を備える、第２の本体と、
ｃ．前記第１の本体及び前記第２の本体のうちの少なくとも１つと操作可能に連結されるプーリ及びキャプスタンのうちの少なくとも１つと、
ｄ．前記プーリ及び前記キャプスタンのうちの少なくとも１つを作動させるように構成される、アクチュエータケーブルと、
ｅ．当該ロボットアクチュエータによって画定され、かつ外形付けされた経路を形成して、複数の追加のケーブルが前記経路を通って近位接続部品に連結されたシステムから遠位接続部品に連結されたシステムに到達することを可能にする、少なくとも１つの外形付けされた表面と、を備え、
前記経路の形状及び位置は、前記追加のケーブルの長さが、前記ロボットアクチュエータに使用される動きの実質的に全範囲に関して、ほぼ一定に留まるようなものである、ロボットアクチュエータ。
【請求項１７】
ロボットアクチュエータであって、
ａ．近位接続部品を備える第１の本体と、
ｂ．遠位接続部品を備える第２の本体と、
ｃ．前記第１の本体の前記第２の本体に対する動きを、前記ロボットアクチュエータの遠位−近位軸に垂直な１つの軸を中心とした回転を除き全ての自由度において制限する、軸受システムと、
ｄ．前記第１の本体及び前記第２の本体のうちの少なくとも１つに操作可能に連結されたプーリまたはキャプスタンのうちの少なくとも１つと、
ｅ．前記プーリ及び前記キャプスタンのうちの前記少なくとも１つを作動させるように構成された、アクチュエータケーブルと、
ｆ．当該ロボットアクチュエータによって画定され、かつ外形付けされた経路を形成して、複数の追加のケーブルが前記経路を通って前記近位接続部品に連結されたシステムから前記遠位接続部品に連結されたシステムに到達することを可能にする、少なくとも１つの外形付けされた表面と、を備え、
前記経路の形状及び位置は、前記追加のケーブルの長さが、前記ロボットアクチュエータに使用される動きの実質的に全範囲に関して、ほぼ一定に留まるようなものである、ロボットアクチュエータ。
【請求項１８】
ロボットアクチュエータであって、
ａ．近位接続部品を備える第１の本体と、
ｂ．遠位接続部品を備える第２の本体と、
ｃ．前記第１の本体の前記第２の本体に対する動きを、前記ロボットアクチュエータの遠位−近位軸を中心とした回転を除き全ての自由度において制限する、軸受システムと、
ｄ．前記第１の本体または前記第２の本体のうちの少なくとも１つに操作可能に連結されたプーリまたはキャプスタンのうちの少なくとも１つと、
ｅ．前記プーリ及び前記キャプスタンのうちの前記少なくとも１つを作動させるように構成された、アクチュエータケーブルと、
ｆ．当該ロボットアクチュエータによって画定される孔であって、追加のケーブルが通って前記近位接続部品に連結されたシステムから前記遠位接続部品に連結されたシステムに到達することができるように構成された、前記アクチュエータケーブルの直径の少なくとも３倍の内径を有する穴と、を備え、
前記穴の形状及び位置は、前記追加のケーブルの長さが、前記ロボットアクチュエータに使用される動きの実質的に全範囲に関して、ほぼ一定に留まるようなものである、ロボットアクチュエータ。
【請求項１９】
外科手術用把持器であって、
ａ．主把持体と、
ｂ．前記主把持体に操作可能に連結される、第１の把持器ジョー部と、
ｃ．前記主把持体に操作可能に連結される、第２の把持器ジョー部と、
ｄ．アクチュエーションケーブルと、
ｅ．前記第１の把持器ジョー部及び前記第２の把持器ジョー部のうちの少なくとも１つを、前記アクチュエーションケーブルと連結させる連結機構と、を備え、
前記連結機構により、前記アクチュエーションケーブルの動きに応答して、前記第１の把持器ジョー部または前記第２の把持器ジョー部のうちの少なくとも１つの遠位端の非線形の動きがもたらされる、外科手術用把持器。
【請求項２０】
前記主把持体、前記第１の把持器ジョー部、前記第２の把持器ジョー部、前記アクチュエーションケーブル、及び前記連結機構のうちの少なくとも１つに固定される、歪みゲージを更に備え、
前記第１の把持器ジョー部の遠位端及び前記第２の把持器ジョー部の遠位端との間の力の値が、前記歪みゲージからの情報に基づいて判定される、請求項１９に記載の外科手術用把持器。
【請求項２１】
操作者インターフェースであって、前記歪みゲージからの情報に基づいて触覚的フィードバックを前記操作者インターフェースのユーザに提供するための触覚的フィードバックデバイスを含んでなる、操作者インターフェースを更に備える、請求項２０に記載の外科手術用把持器。
【請求項２２】
前記第１の把持器ジョー部及び前記第２の把持器ジョー部のうちの少なくとも１つに操作可能に連結される少なくとも１つのバネを更に備える、請求項１９に記載の外科手術用把持器。
【請求項２３】
前記把持器ジョー部の力及び前記把持器ジョー部の位置のうちの少なくとも１つを制御するためのソフトウェア制御ループ及びハードウェア制御ループのうちの少なくとも１つを更に備える、請求項１９に記載の外科手術用把持器。
【請求項２４】
前記アクチュエーションケーブルに操作可能に連結された少なくとも１つのサーボモータを更に備える、請求項１９に記載の外科手術用把持器。
【請求項２５】
前記第１の把持器ジョー部及び前記第２の把持器ジョー部のうちの少なくとも１つの位置を測定するための少なくとも１つの位置センサを更に備える、請求項１９に記載の外科手術用把持器。
【発明の詳細な説明】
【技術分野】
【０００１】
関連出願の相互参照
本出願は、３５Ｕ．Ｓ．Ｃ．§１１９（ｅ）の下に、２０１４年５月５日に出願されたＭｅｔｈｏｄ  ｆｏｒ  Ｎａｔｕｒａｌ  Ｈｕｍａｎ−Ｌｉｋｅ  Ｍｏｔｉｏｎ  ａｎｄ  Ｈｕｍａｎ  Ｉｎｔｅｒｆａｃｅ  ｉｎ  Ｓｕｒｇｉｃａｌ  Ｒｏｂｏｔｉｃｓと題される米国仮特許出願第６１／９８８４９８号、及び２０１５年３月２３日に出願されたＶｉｒｔｕａｌ  Ｒｅａｌｉｔｙ  Ｓｕｒｇｉｃａｌ  Ｄｅｖｉｃｅと題される米国仮特許出願第６２／１３６８８３号の利益を主張し、これらは、参照によりその全体が本明細書に組み込まれる。
【背景技術】
【０００２】
発明の分野
本出願は、概して、低侵襲の外科手術及び仮想現実システムに関する。
【０００３】
関連技術の説明
低侵襲外科手術の分野は、１９９０年代初めに開始してから、急速に成長してきた。低侵襲外科手術により患者の予後は大幅に改善されるが、この改善には、外科医が正確かつ容易に施術を行う能力が欠かせない。腹腔鏡検査の際、外科医は、患者の腹壁の小さな切開部を通して腹腔鏡器具を挿入しなければならない。腹腔鏡器具は腹壁を傷つけることなしに横に動かすことができないため、腹壁への器具の挿入という性質から、腹腔鏡器具の動きは制限される。標準的な腹腔鏡器具は、４軸の動きに制限される。これらの４軸の動きは、トロカールへの出入りの動き（軸１）、トロカール内での器具の回転（軸２）、ならびにトロカールが腹腔内に進入する枢動点を維持しながら、２つの面でのトロカールの角運動（軸３及び４）である。二十年以上の間、低侵襲外科手術のほとんどが、これらの４つの運動度で行われてきた。
【０００４】
既存のロボット外科手術デバイスは、これらの問題の多くを解決しようと試みた。一部の既存のロボット外科手術デバイスは、器具の端部に追加の自由度を用いて、非ロボットの腹腔鏡手術を再現する。しかしながら、外科処置に多数の高額な変更を行ってすら、既存のロボット外科手術デバイスは、それらが使用される処置の多くにおいて、患者の予後に改善をもたらすことができなかった。更に、既存のロボットデバイスは、外科医と外科用エンドエフェクタとが離れた状態であることを増加させる。この離れた状態の増加により、外科医による動作の誤った理解及びロボットデバイスによって適用される力に起因する傷害が生じている。多くの既存のロボットデバイスの自由度は人間の操作者には馴染みがないため、外科医は、不慮の傷害を引き起こす可能性を最小限に抑えるために、患者に手術を行う前に、ロボットシミュレーターで長期間訓練する必要がある。
【０００５】
既存のロボットデバイスを制御するためには、外科医は、コンソールに座り、手足を用いて操作装置の制御を行う。更に、ロボットカメラは、準固定の位置にあり、外科医の手足の動きの組み合わせによって動かされる。これらの準固定カメラは視野が限られており、結果として、手術野の明視化は困難となる。
【０００６】
他のロボットデバイスは、単一の切開部を通して挿入される２つのロボット操作装置を有する。これらのデバイスは、しばしば、臍において、単一の切開に必要とされる切開部の数を減少させる。しかしながら、既存の単一切開ロボットデバイスには、そのアクチュエータ設計に起因する重大な欠点がある。既存の単一切開ロボットデバイスには、サーボモータ、エンコーダ、ギヤボックス、及び他の全てのアクチュエーションデバイスがインビボロボット内に含まれる。モータ及びギヤボックスを患者の体内に含めるというこの決定は、能力が限られた大型のロボットをもたらした。そのような大型のロボットは、大きな切開部を通して挿入されることになるため、したがって、ヘルニア形成の危険性、感染の危険性、疼痛、及び一般的な罹患率が上がる。一部の既存デバイスに必要な切開部のサイズは、１．５〜２インチであり、切開部のサイズは観血外科手術と同様である。更に、モータ、ギヤ等がインビボデバイス内に含まれるため、これらのデバイスのサイズが今後著しく小さくなる可能性は低い。この切開部サイズの増大は、結果として、患者の傷害を著しく増加させ、既存のデバイスの実用性を大幅に低減させる。
【０００７】
単一切開の既存デバイスはまた、自由度が制限されている。これらの自由度のうちの一部、例えば、処置中のアームの伸長は、人間にとっては直感的でない。これらの自由度は、外科医が直感的でない動き（学習するもの、切開部が複数の既存デバイスの動きに類似）を行わなければならないユーザインターフェースを必要とする。
【０００８】
人間型ロボット装置
人間の腕の自由度を再現するように設計された外科手術用ロボット装置の概念が、これまでに何度か提案されている。しかしながら、既存の設計はいずれも、極めて複雑なギヤボックス及びギヤトレーンを含んでおり、これらは全てロボットアーム内に設置される。これらのギヤボックス及びギヤトレーンの結果として、既存の人間型アームは、製造が困難であり、サイズが大きく、速度が遅い。加えて、人間型ロボット装置の利点を完全に活用するように設計された人間と機械とのインターフェースについて記載している人間型ロボット装置の発明者はいない。人間と機械との適切なインターフェースがなければ、人間型アームは他のロボット装置設計よりも優れた利点を提供することはないか、またはないに等しい。
【発明の概要】
【０００９】
一実施形態において、本発明は、中心体、中心体に操作可能に接続された明視化システム（少なくとも１つのカメラ、パンシステム及びチルトシステムのうちの少なくとも１つを備える）、少なくとも１つのカメラからの情報に基づいて画像を生成するためのビデオレンダリングシステム、カメラから受信した画像を表示する頭部装着型ディスプレイ、頭部装着型ディスプレイの空間内での基準点に対する位置及び頭部装着型ディスプレイの空間内での基準点に対する配向のうちの少なくとも１つを追跡するためのセンサシステム（ここで、パンシステム及びチルトシステムのうちの少なくとも１つが、頭部装着型ディスプレイの空間内での前記基準点に対する位置及び配向のうちの少なくとも１つの変化に関するセンサからの情報に応答して、カメラの視野を調整するように構成される）、ならびに中心体に操作可能に接続されるロボットデバイスを備える、外科手術に使用するためのシステムを含む。外科手術システムにおいて、ビデオレンダリングシステムは更に、センサシステムからの情報に基づいて、生成された画像の視野をデジタル調整するように構成される。外科手術システムはまた、第２のカメラを備えてもよい。２つのカメラを備える外科手術システムでは、ビデオレンダリングシステムによって生成された画像はまた、第１及び第２のカメラからの情報に基づく立体画像を含んでもよい。
【００１０】
外科手術システムはまた、複数のカメラを備えてもよい。複数のカメラを備える外科手術システムでは、ビデオレンダリングシステムはまた、複数のカメラからのシグナル情報を織り交ぜるソフトウェアに基づいて画像を生成することもできる。
【００１１】
外科手術システムはまた、カメラの位置及び配向のうちの少なくとも１つを測定するための少なくとも１つのセンサを備えてもよい。２つのカメラを備える外科手術システムは、挿入構成において、挿入軸に垂直な面での明視化システムの断面寸法が、挿入軸に沿った第１のカメラと第２のカメラとの中心間距離よりも小さい。
【００１２】
外科手術システムのロボットデバイスは、ロボットデバイスの１つの部分をロボットデバイスの別の部分に対して回転させるための第１の回転式アクチュエータと、第１の回転式アクチュエータに操作可能に連結されたロボットデバイスの１つの部分とロボットデバイスの別の部分との間の角度を変化させるための第１のヒンジ式アクチュエータと、を更に備えてもよい。ロボットデバイスは、ロボットデバイスを中心体の第１の側部または第２の側部のいずれかで使用することができるように、ロボットデバイスの位置を中心体に対して変化させるための位置アクチュエータを更に備えてもよい。
【００１３】
他の実施形態では、外科手術システムのロボットデバイスは、ロボットデバイスの１つの部分をロボットデバイスの別の部分に対して回転させるための第１の回転式アクチュエータと、第１の回転式アクチュエータに操作可能に連結されたロボットデバイスの１つの部分とロボットデバイスの別の部分との間の角度を変化させるための第１のヒンジ式アクチュエータと、第１のヒンジ式アクチュエータに操作可能に連結されたロボットデバイスの１つの部分をロボットデバイスの別の部分に対して回転させるための第２の回転式アクチュエータと、第２の回転式アクチュエータに操作可能に連結されたロボットデバイスの１つの部分とロボットデバイスの別の部分との間の角度を変化させるための第２のヒンジ式アクチュエータと、第２のヒンジ式アクチュエータに操作可能に連結されたロボットデバイスの１つの部分をロボットデバイスの別の部分に対して回転させるための第３の回転式アクチュエータと、第３の回転式アクチュエータに操作可能に連結されたロボットデバイスの１つの部分とロボットデバイスの別の部分との間の角度を変化させるための第３のヒンジ式アクチュエータと、第３のヒンジ式アクチュエータに操作可能に連結された外科手術用エンドエフェクタと、を更に備えてもよい。
【００１４】
更に他の実施形態では、外科手術システムは、第２のロボットデバイスを更に備えてもよく、この第２のロボットデバイスは、ロボットデバイスの１つの部分をロボットデバイスの別の部分に対して回転させるための第４の回転式アクチュエータと、第４の回転式アクチュエータに操作可能に連結されたロボットデバイスの１つの部分とロボットデバイスの別の部分との間の角度を変化させるための第４のヒンジ式アクチュエータと、第４のヒンジ式アクチュエータに操作可能に連結されたロボットデバイスの１つの部分をロボットデバイスの別の部分に対して回転させるための第５の回転式アクチュエータと、第５の回転式アクチュエータに操作可能に連結されたロボットデバイスの１つの部分とロボットデバイスの別の部分との間の角度を変化させるための第５のヒンジ式アクチュエータと、ロボットデバイスの１つの部分とロボットデバイスの別の部分との間の角度を変化させるための第５のヒンジ式アクチュエータに操作可能に連結されたロボットデバイスの１つの部分をロボットデバイスの別の部分に対して回転させるための第６の回転式アクチュエータと、第６の回転式アクチュエータに操作可能に連結されたロボットデバイスの１つの部分とロボットデバイスの別の部分との間の角度を変化させるための第６のヒンジ式アクチュエータと、第６のヒンジ式アクチュエータに操作可能に連結された外科手術用エンドエフェクタとを備える。
【００１５】
別の態様において、本発明は、ロボットデバイスの１つの部分をロボットデバイスの別の部分に対して回転させるための第１のケーブル駆動型回転式アクチュエータと、第１のケーブル駆動型回転式アクチュエータに操作可能に連結されたロボットデバイスの１つの部分とロボットデバイスの別の部分との間の角度を変化させるための第１のケーブル駆動型ヒンジ式アクチュエータと、第１のケーブル駆動型ヒンジ式アクチュエータに操作可能に連結されたロボットデバイスの１つの部分をロボットデバイスの別の部分に対して回転させるための第２のケーブル駆動型回転式アクチュエータと、第２のケーブル駆動型回転式アクチュエータに操作可能に連結されたロボットデバイスの１つの部分とロボットデバイスの別の部分との間の角度を変化させるための第２のケーブル駆動型ヒンジ式アクチュエータと、ロボットデバイスの１つの部分とロボットデバイスの別の部分との間の角度を変化させるための第２のケーブル駆動型ヒンジ式アクチュエータに操作可能に連結されたロボットデバイスの１つの部分をロボットデバイスの別の部分に対して回転させるための第３のケーブル駆動型回転式アクチュエータと、第３の回転式アクチュエータに操作可能に連結されたロボットデバイスの１つの部分とロボットデバイスの別のケーブル駆動型部分との間の角度を変化させるための第３のケーブル駆動型ヒンジ式アクチュエータと、第３のケーブル駆動型ヒンジ式アクチュエータに操作可能に連結された外科手術用エンドエフェクタと、を備える、ロボット外科手術デバイスを含む。一部の実施形態では、ロボットデバイスは、部分的に患者の身体内に設置される。他の実施形態では、ロボットデバイスは、完全に患者の身体内に設置される。
【００１６】
更に別の態様において、本発明は、ロボットアクチュエータを近位システムに連結させる近位接続構成要素及び第１の軸受面を備える第１の本体と、ロボットアクチュエータを遠位システムに連結させる遠位接続構成要素及び第１の軸受面と共に軸受を形成する第２の軸受面（軸受により少なくとも１自由度で第１の本体の動きを第２の本体に対して制限する）を備える第２の本体と、第１の本体または第２の本体に操作可能に連結されたプーリまたはキャプスタンと、プーリまたはキャプスタンを作動させるように構成されるアクチュエータケーブルと、ロボットアクチュエータによって画定され、かつ外形付けされた経路を形成して、複数の追加のケーブルがこの経路を通って近位接続構成要素に連結されたシステムから遠位接続構成要素に連結されたシステムに到達することを可能にする、少なくとも１つの外形付けされた表面と、を備え、ここで、経路の形状及び位置は、追加のケーブルの長さが、ロボットアクチュエータに使用される動きの実質的に全範囲に関して、実質的に一定に留まるようなものである、ロボットアクチュエータを含む。
【００１７】
本発明はまた、近位接続構成要素を備える第１の本体と、遠位接続構成要素を備える第２の本体と、ロボットアクチュエータの遠位−近位軸に垂直な１つの軸を中心とした回転を除き全ての自由度で第１の本体の動きを第２の本体の動きに対して制限する軸受システムと、第１の本体または第２の本体に操作可能に連結されるプーリまたはキャプスタンと、プーリまたはキャプスタンを作動させるように構成されるアクチュエータケーブルと、ロボットアクチュエータによって画定され、かつ外形付けされた経路を形成して、複数の追加のケーブルがこの経路を通過して近位接続構成要素に連結されたシステムから遠位接続構成要素に連結されたシステムに到達することを可能にする、少なくとも１つの外形付けされた表面と、を備え、ここで、経路の形状及び位置が、ロボットアクチュエータが使用される動きの実質的に全範囲に関して、実質的に一定に留まるようなものである、ロボットアクチュエータを含む。
【００１８】
本発明はまた、近位接続部品を備える第１の本体と、遠位接続部品を備える第２の本体と、ロボットアクチュエータの遠位−近位軸を中心とした回転を除き全ての自由度で第１の本体の動きを第２の本体に対して制限する軸受システムと、第１の本体または第２の本体に操作可能に連結されたプーリまたはキャプスタンと、プーリまたはキャプスタンを作動させるように構成されるアクチュエータケーブルと、ロボットアクチュエータによって画定され、追加のケーブルが穴を通って近位接続部品に連結されたシステムから遠位接続部品に連結されたシステムに到達することができるように構成される、アクチュエータケーブルの直径の少なくとも３倍の内径を有する穴と、を備えるロボットアクチュエータを含み、ここで、穴の形状及び位置は、追加のケーブルの長さが、ロボットアクチュエータが使用される動きの実質的に全範囲に関して実質的に一定なままとなるようなものである。
【００１９】
本発明の更なる態様は、主把持体と、把持体に操作可能に連結された第１の把持器ジョー部と、把持体に操作可能に連結された第２の把持器ジョー部と、第１の把持器ジョー部及び第２の把持器ジョー部のうちの少なくとも１つを、アクチュエーションケーブルと連結させる連結機構と、を備える、外科手術用把持器を含み、ここで、連結機構により、アクチュエーションケーブルの動きに応答して、第１の把持器ジョー部または第２の把持器ジョー部の遠位端の非線形移動がもたらされる。外科手術用把持器は更に、主把持体、第１の把持器ジョー部、第２の把持器ジョー部、アクチュエーションケーブル、及び連結機構のうちの１つ以上に工程されたひずみゲージを備え、それによって、ひずみゲージによって測定された歪みは、第１の把持器ジョー部の遠位端と第２の把持器ジョー部の遠位端との間の力を計算することができる。別の実施形態では、外科手術用把持器は、第１の把持器ジョー部及び第２の把持器ジョー部のうちの少なくとも１つと操作可能に連結されたバネの少なくとも１つを更に含み得る。別の実施形態では、外科手術用把持器は、把持器ジョー部の力及び把持器ジョー部の一のうちの少なくとも１つを制御するためのソフトウェア制御ループ及びハードウェア制御ループのうちの少なくとも１つを更に備え得る。別の実施形態では、外科手術用把持器は、アクチュエーションケーブルに操作可能に連結されたサーボモータのうちの少なくとも１つを更に備え得る。別の実施形態では、外科手術用把持器は、位置センサのうちの少なくとも１つを更に備えてもよく、それによって、位置センサが、第１の把持器ジョー部及び第２の把持器ジョー部のうちの少なくとも１つの一を測定する。
【００２０】
外科手術用把持器は、触覚的フィードバックを提供するデバイスを更に備えてもよく、それによって、計算された力を使用して触覚的フィードバックが決定される。
【図面の簡単な説明】
【００２１】
番号が付いた項目は、全ての図で一貫したままであることに留意されたい。同じ番号が付いた項目は、同じ項目であるか、またはその項目の同一な複製物であるかのいずれかである。異なる番号が付いた項目は、異なる設計の部品であるか、または時として異なる目的を果たす同一の部品であるかのいずれかである。
【００２２】
【図１Ａ】使用されるように構成される、アームが２つの外科手術用ロボットデバイスの一実施形態の前面等角図である。
【図１Ｂ】使用されるように構成される、アームが２つの外科手術用ロボットデバイスの一実施形態の背面等角図である。
【図２Ａ】一実施形態における外科手術用ロボットデバイスの右のアームの分解等角図である。
【図２Ｂ】第１のアクチュエータが第１の位置に配向された、アームが２つの外科手術用ロボットデバイスの一実施形態の図である。
【図２Ｃ】第１のアクチュエータが第２の位置に配向された、アームが２つの外科手術用ロボットデバイスの一実施形態の図である。
【図３Ａ】トロカールにより挿入するように構成された、アームが２つの外科手術用ロボットデバイスの一実施形態の等角図である。
【図３Ｂ】一実施形態による、アームが２つの外科手術用ロボットデバイスが完全に挿入された、トロカールの等角図である。
【図３Ｃ】一実施形態における内部スリーブを有するトロカールの図である。
【図３Ｄ】特許ルーメンを示すトロカールの一実施形態の図である。
【図４】挿入体を示す、代替的な実施形態の等角図である。
【図５Ａ】一実施形態による、カメラを有するトロカールスリーブの等角図である。
【図５Ｂ】一実施形態による、トロカールを通して挿入する際のカメラを有するトロカールスリーブの等角図である。
【図５Ｃ】一実施形態による、使用時にカメラが適切な場所にあるトロカールスリーブの等角図である。
【図６Ａ】一実施形態による、使用のために構成される、カメラの前面図である。
【図６Ｂ】一実施形態による、腹部に挿入するように構成される、カメラの前面図である。
【図７Ａ】一実施形態による、中心接続構成要素の等角図である。
【図７Ｂ】一実施形態による、中心接続部前面図の分解図である。
【図７Ｃ】一実施形態による、中心接続部背面図の分解図である。
【図８Ａ】一実施形態による、ヒンジアクチュエータの等角図である。
【図８Ｂ】一実施形態による、ヒンジアクチュエータの分解図である。
【図９Ａ】０度に作動されているヒンジアクチュエータの断面の一実施形態の図である。
【図９Ｂ】３０度に作動されているヒンジアクチュエータの断面の一実施形態の図である。
【図１０Ａ】一実施形態による、回転式アクチュエータの第１の側部の側面図である。
【図１０Ｂ】一実施形態による、回転式アクチュエータの第２の側部の側面図である。
【図１０Ｃ】一実施形態による、回転式アクチュエータの分解図である。
【図１０Ｄ】一実施形態による、回転式アクチュエータの断面図である。
【図１１Ａ】一実施形態による、把持器の等角図である。
【図１１Ｂ】一実施形態による、把持器の分解図である。
【図１１Ｃ】一実施形態による、閉じている間の把持器の断面である。
【図１１Ｄ】一実施形態による、開いている間の把持器の断面である。
【図１２Ａ】一実施形態による、把持器の開放を示す図である。
【図１２Ｂ】一実施形態による、把持器の閉鎖を示す図である。
【図１３】一実施形態による、延長セグメントの等角図である。
【図１４Ａ】一実施形態による、アームが４つの外科手術用ロボットシステムの等角図である。
【図１４Ｂ】一実施形態による、アームが４つの外科手術用ロボットトロカールの等角図である。
【図１５】一実施形態による、ユーザが仮想現実ヘッドセットを着用した状態でのユーザ上のＭＥＭＳセンサの設置を示す図である。
【図１６】仮想現実ロボットシステムの一実施形態のブロック図である。
【図１７】一実施形態による、別個のロボット装置及びカメラシステムを有するデバイスの前面図である。
【発明を実施するための形態】
【００２３】
本システムは、外科医が腹腔内で使用するために設計されているが、デバイスの多数の代替的な使用が可能である。例えば、ユーザは、医師の助手、看護師、外科手術補佐、または任意の他の外科手術関与者であり得る。加えて、デバイスは、患者の身体の任意の部位に設置され得、患者の体のより小範囲での使用が可能となるように、将来的な実施形態は更に小さくなるように設計され得る。より小さなデバイス及びより大きなデバイスのいずれも、副鼻腔、結腸、胃、または人間の身体の任意の他の部位といった場所で使用されるように作製することができる。ＭＥＭＳまたは他の手段を用いた微細製造により、デバイスを人間の血管等の非常に小さな場所に位置付けることができるようになり得る。あるいは、本システムを使用して、デバイスが部分的または全体的に人間の身体の外側に配置された状態での観血処置中ですら、素晴らしい巧妙さ及び明視化を得ることができる。
【００２４】
他の実施形態では、本デバイスは、微細構造体の製造、部品の組み立て、爆弾の解除、または微細な運動技能を要する任意の他の作業といった、外科手術作業でも医療作業でもない作業に使用される。本デバイスの代替的な実施形態は、人間サイズまたは実際よりも大きいアームを伴って製造され得、これにより人間では小さすぎる、弱すぎる、または行えない作業を人間が行うことが可能となる。明白なことに、そのような実施形態では、ユーザは、必ずしも外科医でない場合がある。
【００２５】
本明細書及び特許請求の範囲で使用される用語を次のように定義する。
【００２６】
外科医：デバイスのユーザ
【００２７】
腹腔：デバイスが挿入される任意の閉鎖された領域または部分的に閉鎖された領域
【００２８】
腹壁：前述の腹腔を部分的または完全に閉鎖する壁部
【００２９】
トロカール：前述の腹壁を通してデバイスを挿入するためのチューブ
【００３０】
遠位：ロボットアームのエンドエフェクタに近い側
【００３１】
近位：ロボットアームのエンドエフェクタから遠い側
【００３２】
［全体的なデバイスの設計］
図１Ａは、患者の腹腔内に設置される、本発明者らのデバイスの一実施形態の等角図を示す。本デバイスは、中心体１０１に接続された導管１００を備える。中心体は、患者の腹部内に配置される。導管は、腹壁を横断し、それによって電力、信号、制御ケーブル、灌水、真空、及び任意の他のシステムを患者の体外のシステムから患者の身体内に入れる、中空のチューブで構成されている。一部の実施形態では、導管１００は、様々なシステム及びケーブルを分離させ、独立した流体チャネルを提供するために、複数のルーメンを含む。他の実施形態では、導管は、全ての制御ケーブルが緩んでいる間は導管が可撓性であるが、張力が導管内の制御ケーブルに適用されると硬直するように、複数の連動セグメントを有する。この設計は、連動セグメントがケーブルによって接続されているキャンプ用テントの支持ポールに類似の様式で機能する。ケーブルが引っ張られ、セグメントが一緒に移動すると、硬性のポールが形成される。更に別の実施形態では、導管は硬性のチューブが非線形の形状に曲げられたものである。
【００３３】
図１Ａは更に、中心体１０１に取り付けられた右のロボットアーム１０３及び左のロボットアーム１０４を示す。これらのロボットアームのそれぞれは、人間型ロボットアームを成すように接続される、複数のアクチュエータを備える。各ロボットアームのアクチュエータが組み立てられて、ロボットショルダ１０５、ロボットエルボ１０６、ロボットリスト１０７、及び外科手術用エンドエフェクタ１０９を成す。
【００３４】
図１Ｂは、中心体１０１に取り付けられたカメラアセンブリ１０２を示す。このカメラ本体は、ロボットショルダ１０５間のほぼ中央、かつロボットショルダのやや上に位置するように配置される。カメラ本体は、以下の比率に忠実になるように配置される。
【数１】
2020036931.tif 000003
【００３５】
典型的な人間ではこの比は大体２に等しくなるが、比は人によって変動し得ることを理解されたい。一実施形態において、本デバイスは、外科医の比の正確に一致するように作製されてもよいが、別の実施形態では、汎用の比は、大体、一般的な外科医の比率に維持される。別の実施形態において、この比は、使用中または患者への挿入前のいずれかに調整することができる。あるいは、この比は、使用時のデバイスの全体的な垂直方向高さを低減させるように、意図的に増加させることもできる。この低減は、患者の腹腔内の作業部位を増大させるように機能する。初期のデバイスの汎用性を最大にするために、一実施形態は、およそ４の比で設計され、人間に似た感覚の一部はデバイスの汎用性を増加させるために妥協される。１〜４の比を有するデバイスであれば、外科医の人間的な観点が十分に保たれると仮説される。
【００３６】
上述の比で、カメラアセンブリは、自然な人間的観点のロボットアームが得られるような位置に配置される。人間型ロボットアームを１つだけ有するデバイスの代替的な実施形態では、カメラは、依然として、人間のような視点を維持するようにアームよりも上に配置される。更に、別の代替的な実施形態では、カメラは、カメラアセンブリ１０２と２つのロボットショルダ１０５とによって形成される面が、中心体１０１と２つのロボットショルダとによって形成される面に対して垂直となるように、前方に移動される。あるいは、カメラのズームにより、カメラがより前方に配置されているというカメラの印象をユーザに与えてもよく、またはアクチュエータにより、処置中に前方に移動する能力がカメラ本体に与えられてもよい。
【００３７】
他の実施形態では、右のロボットアーム１０３、左のロボットアーム１０４、及びカメラアセンブリ１０２のうちのいずれも、中心体１０１に取り付けられていない。これらの実施形態では、このシステムの個々の構成要素は、患者の腹腔に別々に挿入される。これらの構成要素は、単一のトロカールを通して、または複数のトロカールを通して挿入されてもよい。これらの構成要素は、腹腔内で組み立てられ得る。あるいは、これらの構成要素は、別個のままであるが、人間型ロボット装置が、自然で人間的な明視化と一緒に機能するように、配置され得る。１つのそのような実施形態には、図１７に示されるような、別個に挿入され、専用の導管２３４によって支持されるカメラシステムが含まれる。
【００３８】
［ロボットアームの設計］
図２Ａは、右のロボットアーム１０３（図１Ａ）の等角図を示す。このアームは、複数のロボットジョイントから構成されている。第１のアクチュエータ１１０（図２Ａ）は、中心体１０１（図１Ａ）に接続される。一実施形態において、第１のアクチュエータは、外科医が、デバイスのいずれの側でも操作を行うことを可能にし、腹腔への挿入及びそこからの取り出しのためにデバイスを真っ直ぐにするように機能する。図２Ｂは、ロボットアームがデバイスの一方の側部で動作するように配置されるように配向された、左右両方のアームの第１のアクチュエータを示す。同様に、図２Ｃは、外科手術用アームがデバイスの第２の側部で動作するように配置されるように配向された、左右両方のアームの第１のアクチュエータを示す。デバイスの第２の側部で動作している場合、右のアームが左のアームとなり、左のアームが右のアームとなる。この変更は、デバイスを制御するソフトウェアで行われる。
【００３９】
更に、カメラアセンブリ１０２（図１Ａ）は、１８０度を上回って回転することができる。この運動範囲は、外科医が、患者の腹腔の任意の場所にデバイスを設置し、任意の配向から腹部を確認することが可能にする。例えば、患者の胆嚢に施術を行うために、外科医は、患者の左側にデバイスを設置し、患者の右側に向けてアーム及びカメラを配向することができる。あるいは、胃への施術のために、外科医は、患者の右側にデバイスを設置し、患者の左側に向けてアーム及びカメラを配向してもよい。この汎用性により、１つのデバイスを多数の異なる処置に使用することが可能となる。
【００４０】
図２Ａは更に、第１のアクチュエータ１１０に接続された第２のアクチュエータ１１１及び第２のアクチュエータに接続された第３のアクチュエータ１１２を示す。第２のアクチュエータは、アームの中心部に沿って軸を中心とした回転動作を提供する。第３のアクチュエータは、第２のアクチュエータの軸に垂直な軸を中心とした回転により、ヒンジ動作を提供する。第２及び第３のアクチュエータが一緒になって、人間の肩の球関節のものを模した２自由度を有するロボットショルダ１０５（図１Ａ）が提供される。これらの運動度は、人間の肩の外転／内転及び人間の腕の屈曲／伸展を模倣する。代替的な実施形態では、ボールジョイントアクチュエータを含む他のアクチュエータ種により、ショルダの自由度を可能にすることができる。
【００４１】
図２Ａは更に、第４のアクチュエータ１１３及び第５のアクチュエータ１１４を示す。第４のアクチュエータは第３及び第５のアクチュエータに接続し、アームの中心部に沿って軸を中心とした回転動作を提供する。第４のアクチュエータの回転動作は、人間の腕の外向き／内向きの回転運動を模倣する。第５のアクチュエータは第４のアクチュエータに接続し、ロボットエルボ１０６（図１Ａ）を形成する。第５のアクチュエータは、第４のアクチュエータの軸に垂直な軸を中心とした回転により、ヒンジ動作を提供する。第５のアクチュエータのヒンジ式アクチュエータは、人間の肘の屈曲／伸展運動を模倣する。
【００４２】
図２Ａは更に、第６のアクチュエータ１１５及び第７のアクチュエータ１１６を示す。第６のアクチュエータは第５及び第７のアクチュエータに接続し、アームの中心部に沿って軸を中心とした回転動作を提供する。第６のアクチュエータの回転動作は、人間の手掌の回外／回内運動を模倣する。第７のアクチュエータは第６のアクチュエータに接続し、ロボットリストを形成する。第７のアクチュエータは、第６のアクチュエータの軸に垂直な軸を中心とした回転により、ヒンジ動作を提供する。第７のアクチュエータのヒンジ式アクチュエータは、手首の伸長及び屈曲運動を模倣する。外科手術用エンドエフェクタ１０９は、第７のアクチュエータに接続される。一実施形態において、外科手術用エンドエフェクタにより、親指と人差し指（第一指と第二指）とによる挟持に類似の運動を有するロボット把持器が外科医に提供される。
【００４３】
上述のアクチュエータの組み合わせにより、ロボットアームは、人間の腕のものを模した自由度を有する。したがって、アームは、人間の腕の動きをほぼ正確に再現することができる。以下に記載される回転式及びエルボ型アクチュエータのいずれについても特定の設計により、この自由度の大きなロボットアームが人間の動きの再現及び標準的な１２ｍｍのトロカールに適合することの両方が可能となる。
【００４４】
一実施形態において、回転式アクチュエータは、無制限に連続的な回転を提供するものではない。したがって、アームは、無制限に人間の肩の全ての動きを完全に模倣することはできない。ある特定の動きが何回か繰り返されると、結果として第２のアクチュエータが機械的限界に達する。この限界を克服するために、一実施形態では、コンピュータ制御アルゴリズムにより、連続的な回転を必要としないように、ショルダジョイントの動きを制限する。ソフトウェアにより、外科医が仮想平面を通ってロボットアームを移動させないようにする。連続的な回転は、それぞれの第２のアクチュエータの軸がそのそれぞれのアームの面と一致するように、仮想平面が各ロボットアームに対して配置されている限り、必要となることはない。この面は、外科手術毎の必要性に応じて異なって配向され得る。例えば、完全にデバイスよりも低い位置で施術する場合、両方のアームの面は、地面と平行であり、それによって、ロボットエルボは、ロボットショルダの高さを超えて通過することはあり得ない。あるいは、デバイスの前方での外科手術については、これらの面は、地面と垂直に配置されてもよい。
【００４５】
一実施形態において、ロボットデバイスには、橈屈／尺屈を模倣する自由度は含まれない。人間の腕はこの自由度を有するが、発明者らの実験により、この自由度がデバイスの機能には重要でないことが分かった。しかしながら、本デバイスの代替的な実施形態では、この自由度が提供される。
【００４６】
［デバイスの挿入及び取り出し］
図３Ａは、患者の腹腔に挿入し、そこから取り出すように構成される、アームが２つの外科手術用ロボットデバイスの一実施形態を示す。挿入については、全てのヒンジジョイントが、図３Ａに示される直線配向で配置される。一実施形態において、ヒンジジョイントは、ケーブルにかかっている力を取り除くことによって直線状になり、これによって全てのヒンジジョイントが緩む。緩んだジョイントは、必要に応じて手作業で真っ直ぐにする。代替的な実施形態では、アクチュエータが駆動して直線状配置となる。一部の実施形態では、アクチュエータは、電力供給され、更に、自由に動いているアクチュエータを制動によりシミュレートする制動アルゴリズムにより制御され続け得る。別の実施形態では、ジョイントを作動させて、以下に考察されるような湾曲したトロカールを通すために非線形の配向にする。
【００４７】
一部の実施形態では、外科手術用ロボットデバイスは、トロカール１１７を通して腹部に挿入され得る。一実施形態において、トロカールは、挿入時のデバイスのものに類似した断面プロファイルを有して設計される。挿入時に、デバイスは、患者の腹壁の切開部を可能な限り小さいものにすることができるように、最小限の間隙でトロカールを通過する。代替的な実施形態では、デバイスは、標準的な市販のトロカールを通して挿入され得る。
【００４８】
図３Ｂは、デバイスが既に挿入されたトロカールを示す。図３Ｃ及び図３Ｄは、トロカール及びトロカールの内部スリーブ１１８を示す。挿入されると、導管１００（図３Ｂ）が、非円形のトロカール１１７の一部分１１９（図３Ｄ）を消費する。一実施形態において、トロカールの内部スリーブ１１８は、導管を正しい位置に保つように配置され、それによって、トロカールには１２ｍｍの円形開口部１２０が残る。一部の実施形態では、この内部スリーブが、トロカールにガス封止を形成する。他の実施形態では、内部スリーブは、外科手術時の送気のためのガス封止の維持に役立つように、ゴム製の逆止弁を含む。１つの代替的な実施形態では、トロカールは、可撓性かつ／または湾曲している。この可撓性により、湾曲したデバイスまたは導管がトロカールを通ることが可能となる。
【００４９】
一部の実施形態では、内部スリーブは、患者の外部のガスポートと患者の腹部の内部とを接続するチューブを含む。このチューブ及びガスポートにより、腹腔の送気が可能となる。あるいは、トロカール１１７が、送気を可能にするそのようなチューブ及びガスポートを含んでもよい。一部の実施形態では、トロカールは、ロボットデバイスの挿入前に、送気圧力を維持するための逆止弁を含む。他の実施形態では、取り外し可能なプラグにより、ロボットデバイスが取り外された状態でトロカールの開口部が送気されることを防ぐ。
【００５０】
図４は、挿入体１２１内に配置された本デバイスの一実施形態を示す。この挿入体により、患者の腹部にデバイスを容易に移動させることが可能となる。デバイスは、外科医が手作業でデバイスのヒンジジョイントを真っ直ぐにする必要性を防ぐために、挿入体内に入れて輸送され得る。外科医は、単純に、トロカールを通して挿入体１２２の遠位端を摺動させる。挿入体の遠位端は、挿入の際に組織を傷つけないように、軟質で丸みを帯びて形成されている。外科医は、抵抗を感じ、腹壁または器官との接触が示されるまで、挿入体を患者の腹腔に摺動させる。接触すると、外科医は、デバイスを前進させながら挿入体を後退させる。デバイスが挿入体の保護から離れると、柔弱なヒンジジョイントが屈曲して、デバイスが腹部内で丸まることが可能となる。一部の実施形態では、挿入体の遠位端１２２には、任意の標準的な感知手段（静電容量、抵抗、導電性、圧力等）を用いて、腹壁との接触及び／または腹壁への近接性を検出するためのセンサが含まれる。他の実施形態では、挿入体全体が可撓性かつ／または湾曲している。
【００５１】
挿入体はまた、デバイスの取り出しにも役立ち得る。助手が、トロカールを通して挿入体を設置する場合がある。外科医は、アームを挿入体に最も近い位置から挿入体内へと移動させ、それによって、挿入体は、それが腹部から取り出されるときに、デバイスの全体にわたり摺動する。
【００５２】
図５Ａは、更なるトロカールの内部スリーブ１２３を示す。このスリーブは、極めて薄く、トロカールが腹壁を横断して配置された後に、トロカール内に挿入される。カメラ１２４は、トロカールの開口部を塞がないように、トロカールの内部スリーブの端部に取り付けられる。図５Ｂは、トロカールを通して挿入されている、更なるトロカールの内部スリーブを示す。図５Ｃは、適切な位置にあり、トロカールに完全に挿入された、更なるトロカールの内部スリーブを示す。いったん挿入されると、カメラは、腹腔の明視化を提供し、またデバイスの安全な腹腔への挿入及びそこからの取り出しに役立つ。このカメラは更に、光源、ならびに処置の際に役立ち、その際にデータを取得するための他のセンサを更に備えてもよい。このカメラは、追加として、腹部内において複数の視点を提供する複数のカメラから構成されてもよい。
【００５３】
［カメラ及び明視化システム］
図６Ａは、患者の腹腔内で使用するように構成される、カメラ及び明視化システムを示す。図６Ｂは、トロカールを通して挿入するように構成される、カメラ及び明視化システムを示す。カメラシステムは、ヒンジジョイント１２６及びボールジョイント１２７の作動によって、図６Ａに示される使用中の位置と、図６Ｂに示される挿入位置との間を移動する。ヒンジジョイント１２６は、図７Ｃに最も良好に明視化されている。ヒンジジョイント及びボールジョイントは、ケーブル、モータ、磁石、電磁石等を含む、任意の標準的な作動手段を用いて作動させることができる。一実施形態において、ヒンジジョイントは、バネがカメラを作動させて図６Ａに示される使用中の位置にすることで、バネによって作動される。トロカールを通してデバイスを後退させると、トロカールの端部によって適用される力の方向が、バネ作動型ヒンジジョイントに向けられて、図６Ｂに示される挿入位置へと移動し、それがトロカールまたは挿入チューブ内に嵌合することが可能となる。
【００５４】
図６Ａに示されるカメラシステムは、カメラ本体１２５に隣接して、またはその上に配置される、第１のカメラ１２８及び第２のカメラ１２９を備える。カメラ本体は、ボールジョイント１２７の作動によって２自由度で枢動する。２自由度のこの運動により、カメラのパンシステム及びチルトシステムを成す。パンシステムはパン軸でカメラの視野を調整し、チルトシステムはチルト軸でカメラの視野を調整する。代替的な実施形態では、ボールジョイントは、２つのヒンジジョイントまたは１つの回転ジョイント及び１つのヒンジジョイントと置き換えられる。更に別の実施形態では、回転ジョイントは垂直軸を中心にカメラ本体を回転させ、一方でチルト運動はカメラの視野をデジタル調整することによって提供される。位置センサは、カメラ本体を移動させる各ジョイントの位置を正確に測定する。位置センサは、ホール効果センサ、光学エンコーダ、相対位置センサ、または任意の他の標準的な位置測定手段のいずれかを含んでもよい。
【００５５】
別の実施形態では、パン及びチルトの一方または両方の調整がカメラ本体内でのカメラの移動によって提供されるように、カメラがカメラ本体内で移動する。この調整は、カメラ本体の移動と共に用いられてもよく、またはカメラ本体の移動の代わりとして用いられてもよい。カメラは、一緒または別個に移動し得る。カメラは、モータ作動、ケーブル作動、または任意の他の標準的な作動手段によって移動し得る。あるいは、カメラは、２自由度で自由に回転してもよく、磁気コイルによって作り出された磁場の方向で移動してもよい。
【００５６】
一部の実施形態では、パン及びチルトのいずれの動きも、デジタルパン及びチルト調整によって提供される。デジタル調整は、デジタルカメラ画像をクロップすることによって提供される。クロップした画像は、パンまたはチルト移動が所望されるため、ユーザに表示されている画像の一部分が変化し、それによってカメラ移動の幻影を作成するように、自動で調整される。別の実施形態では、デジタルパン及びチルト調整が微細かつ高速な調整を行い、一方で機械的パン及びチルト調整が大きなパン及びチルト移動を可能にするように、デジタル調整と機械的調整との組み合わせが使用される。
【００５７】
別の実施形態では、カメラアセンブリは、デバイスの他の部分とは異なる別個のユニットとして、腹部に挿入される。この別個のカメラアセンブリは、腹腔の内部に入れた後に、デバイスと取り外し可能に連結し得るか、または独立型ユニットとして機能してもよい。
【００５８】
一部の実施形態では、カメラは、手術野の広範な明視化を可能にする広角レンズを有する。他の実施形態では、カメラは、広い垂直方向ビューと狭い水平方向ビューを可能にする非球面レンズを有する。歪みは、デジタル調整により取り除かれる。この広い垂直方向ビューにより、デジタル技術のみを用いてチルトの動きを提供することが可能となる。更に別の実施形態では、カメラ本体１２５は、視野を更に増やす複数のカメラデバイスを備える。カメラの複数のビューをデジタルで織り交ぜて、パノラマビューの１つの大きな画像が形成される。当該技術分野で既知の標準的なデジタル技術を使用して、画像が織り交ぜられる。別の実施形態では、カメラ本体は更に、圧力、静電容量、温度、赤外線、紫外線のいずれかを感知する他のデバイス、または任意の他のセンサデバイスを備える。
【００５９】
一実施形態において、カメラ本体１２５は、１つのカメラ１２８と２つ目のカメラ１２９との間に配置されるＬＥＤアレイを更に備える。これらのＬＥＤは、手術野を照明するように機能する。これらのＬＥＤは、本体の外側に繋がっているワイヤから電力を得る。ＬＥＤからの熱は、カメラ本体内で消散される。一部の実施形態では、少量の滅菌食塩水または他の生体適合性流体が、カメラ本体を流れて、カメラ本体を冷却してもよい。他の実施形態は、カメラ本体が安全な温度範囲内にあることを確実にするために、温度センサを更に備える。別の実施形態では、ＬＥＤは、デバイスの他の本体内に設置され、異なる角度の照明ならびにより大きな吸熱体が提供される。
【００６０】
腹部を光ファイバまたは別の光源により照明することもできると考えられる。光ファイバは、アクチュエーションケーブルを用いて、または別の切開部を通して、体内に供給され得る。一実施形態において、光ファイバは、２１ゲージの血管カテーテル等の非常に小さなチューブから腹部に通される。ファイバは、腹部の内部でデバイスに嵌合してもよく、またはデバイスと嵌合せずに照明を提供するように機能してもよい。そのような照明システムは、少ない熱でたくさんの光を提供するが、システム全体の複雑さが増すという犠牲を伴う。
【００６１】
カメラ本体は、その視野が、トロカールによる挿入方向に垂直となる状態で挿入される。これにより、カメラ間の距離１３０が、デバイスが挿入される切開部のサイズよりも大きくなるように、カメラ本体１２５（図６Ａ）の上またはその中にカメラを設置することが可能となる。カメラ間の距離が大きくなることで、カメラシステムは、視差を明視化し、ユーザに奥行きを気付かせるという能力が増加している。カメラ間の距離は、自然かつ人間に似たシステムを維持し、次のことが得られるように選択される。
【数２】
2020036931.tif 000004
【００６２】
［人間とデバイスとの相互作用］
自然な人間と機械とのインターフェース（ＨＭＩ）は、人間型ロボットデバイスと自然な明視化システムとを最良に活用するように設計された。一実施形態は、外科医が、自身の腕を動かしてデバイスを制御することを可能にする。外科医は、一連のゴムバンドを着用し、各バンドが外科医の腕にセンサを固定する。一実施形態では、このセンサは、ＭＰＵ−６０５０センサである。ＭＰＵ−６０５０は、センサの配向を計算するために、ＭＥＭＳジャイロスコープ、加速度計、及びデジタル運動プロセッサを含む。
【００６３】
図１５Ａを参照すると、一実施形態では、外科医は、８つのゴムバンド２２６及び２２７を着用している。これらのゴムバンドにより、図１５に示されるように、８つのＭＰＵ−６０５０センサが外科医の腕に固定される。左右の人差し指２２４、手背２２３、前腕遠位背側２２２、及び上腕遠位背側２２１のそれぞれに、１つのバンドが設置されている。各上腕センサを格納する筐体は、更に、マイクロコントローラ、電池、及びＢｌｕｅｔｏｏｔｈ（登録商標）モジュールを格納する。遠位センサからのデータは、ワイヤ２２５を通じてＩ２Ｃプロトコルを用いて収集され、Ｂｌｕｅｔｏｏｔｈ（登録商標）で中央コンピュータへと送信される。
【００６４】
８つのＭＰＵ−６０５０センサからのデータを用いて、中央コンピュータは、外科医の各部分の位置と配向を計算することができる。将来的なソリューションとしては、外科医の胴または任意の他の身体部位の追跡が含まれる。更に、代替的な実施形態は、各加速度計、ジャイロスコープ、及び運動プロセッサユニットに追加して、ＭＥＭＳ磁力計を含む。ＭＰＵ−９２５０等のＭＥＭＳチップは、上述のものの全てを単一のパッケージで提供する。磁針路は垂直軸を中心とするセンサのドリフトを減少させるため、磁力計を追加することは当該分野で標準的な慣習である。代替的な実施形態はまた、手袋、手術用洗浄具、または手術衣といった、手術用具にセンサを設置することを含む。これらのセンサは、再利用可能であってもよく、または使い捨てであってもよい。
【００６５】
更に別の実施形態は、外科医の腕及び身体の位置を追跡するためのセンサの追加を含む。そのようなセンサは、Ｘｂｏｘ  Ｋｉｎｅｃｔ（登録商標）のセンサに類似であり、外科医の腕の絶対位置の追跡及び互いに対する腕の位置の追跡を可能にする。一部の実施形態では、これらの追加のセンサは、外科医の身体に着用される。他の実施形態では、センサは、室内の固定位置に配置される。
【００６６】
外科医の腕を追跡する能力により、中央コンピュータ内の制御ループは、デバイスの人間型ロボットアームを制御するサーボモータを駆動する。これは、図１６のブロック図に見ることができる。アームは、縮小された外科医の腕の動きに従うように制御される。ロボットエルボは、人間の肘の位置及び配向に従う。ロボットリストは、人間の手首の位置及び配向に従う。外科手術用エンドエフェクタは、外科医が人差し指と親指を一緒に挟むときの外科医の人差し指の動きに従う。
【００６７】
デバイスのアームは、外科医の腕の動きに従うが、デバイスのショルダは位置が固定されている。一実施形態において、外科医の胴の位置及び配向が、外科医の腕の位置及び配向から差し引かれる。この差し引きにより、外科医が腕を動かすことなく自身の胴を動かすことが可能となる。代替的な実施形態には、外科医が自身の肩を空間内に固定して保つことを促すために、パッド付きの椅子が含まれる。外科医が自身の肩を動かすことを防止することにより、外科医は、デバイスが再現できない動きを行うことを回避し、それによって、デバイスの自然な感覚が増す。
【００６８】
外科医は、デバイスの最良な明視化のために仮想現実頭部装着型ディスプレイ２２０（図１５）を着用する。Ｏｃｕｌｕｓ  Ｒｉｆｔ等の適切な頭部装着型ディスプレイにより、頭部装着型ディスプレイ、ディスプレイの集中ビューを可能にするレンズ、ならびにディスプレイの位置及び配向の追跡を提供するためのセンサシステムがユーザに提供される。位置及び配向センサシステムは、加速度計ジャイロスコープ、磁力計、運動プロセッサ、赤外線追跡、コンピュータビジョン、位置及び配向のうちの少なくとも１つを追跡する任意の他の方法、またはそれらの任意の組み合わせを含み得る。市場には多数のディスプレイが出ているが、本システムに最良なものを選択することが重要である。典型的に本システムのデバイス機能の改善をもたらすディスプレイの特徴としては、視野の増加、待ち時間の減少、残像の減少、解像度の向上、低重量、快適さの向上、ならびに表示の位置及び配向の追跡の改善が挙げられる。
【００６９】
頭部装着型ディスプレイを用いて、図１６のブロック図に見られるように、コンピュータは、デバイスの明視化システムから収集したビデオを処理する。一実施形態において、この節で後述されるように、第１及び第２のカメラ１２８及び１２９（図６Ａ）の両方からビデオが収集され、処理される。１つのカメラ１２８からの処理されたビデオが、外科医の右目に表示される。同様に、１つのカメラ１２９からの処理されたビデオが、外科医の左目に表示される。腹腔内で離間した別個のカメラからの右目及び左目のビューを組み合わせることにより、外科医には立体的なビューが提供される。
【００７０】
完全な仮想現実体験を維持するために、センサシステムは、外科医の頭部装着型ディスプレイの位置及び配向を追跡する。このセンサシステムは、リアルタイムでデータを中央コンピュータへと中継する。中央コンピュータは、ユーザの頭部の動きに従うように可能な限り迅速にデバイスのカメラシステムのパン及びチルトを調整する。外科医が遅れに気付くことがないように十分に速くカメラのパン及びチルトを調節することは困難であるため、ソフトウェアにより、カメラのビューをわずかに調整して、カメラ位置と外科医の頭部位置との間の任意の差を補う。
【００７１】
一部の実施形態は、外科医に明視的なフィードバックのみを提供するが、代替的な実施形態では、多数の追加のフィードバックシステムが提供される。一実施形態において、外科医はデバイスを保持して、触覚によるフィードバックを得る。そのようなデバイスは、２つの部材に接続された小型のサーボモータと同程度に単純なものであり得る。外科医が部材を挟むと、サーボモータがその動きに抵抗する。触覚的フィードバックを提供するサーボモータ、ならびにロボット把持器において位置及び力を感知することにより、標準的な力制御アルゴリズムを用いて、把持器が呈する力を外科医が「感じる」ことが可能となり得る。
【００７２】
代替的な実施形態では、外科医には、自身の腕のそれぞれに着用する外骨格型デバイスが提供される。そのようなデバイスは、ロボットアームのそれぞれのアクチュエータのためのサーボ機構を格納しており、外科医がそれぞれのロボットアクチュエータに関する触覚的フィードバックを経験することを可能にするであろう。更に別の実施形態では、外科医は、現在市場で知られている標準的な触覚的相互作用デバイスを使用して、デバイスと相互作用する。
【００７３】
一実施形態において、外科医の腕からの動作は、直接的なスケーリングでのみデバイスのアームの動きに変換される。しかしながら、他の実施形態では、調整可能な動作のスケーリングが含まれる場合がある。一実施形態において、動作は、外科医の肘が１０度移動すると、デバイスのエルボが５度移動するように、更に縮小される。このスケーリングは、デバイスの自然な感覚が減少する代わりに、巧妙さの向上を可能にする。別の実施形態では、調整可能なスケーリングが含まれ、ここで、倍率は、移動の速度と関連している。例えば、外科医の肘が１秒間につき１０度で１０度移動した場合、デバイスのエルボは３度移動する。外科医の肘が１秒間につき５０度で１０度移動した場合、デバイスのエルボは１５度移動する。
【００７４】
図１６のブロック図は、デバイスが全体としてどのように情報を収集し、それを使用するかを示す全体図を示す。センサ２２９は、外科医の身体運動を追跡し、この情報を中央コンピュータへと中継する。中央コンピュータは、制御ループ２３０、ならびにビデオレンダリング及び拡大ソフトウェア及びハードウェア２３１を含んでいる。外科医の腕及び身体の位置に関する情報を使用して、意図されるロボットアクチュエータの位置が計算される。制御ループは、所望されるロボットアクチュエータ位置をサーボモータのエンコーダ、サーボモータトルク、デバイスエンコーダ、及び任意の他の関連システムと組み合わせて使用して、サーボモータ２３２への電力出力を計算し続ける。これらの制御ループは、標準的な調節された比例積分導関数「ＰＩＤ」による制御を使用して、サーボモータへの電力出力を決定することができる。あるいは、特別な制御ループを用いてもよい。サーボモータは、本出願で後述されるように、患者の内部でデバイス２３３に接続される。
【００７５】
デバイスは、患者の内部で、カメラシステムからのビデオ信号を収集し、これらの信号を中央コンピュータのビデオレンダリング及びオーグメンテーションシステム２３１に送信する。このシステムは、カメラの位置及び配向に関する情報を、ビデオ信号ならびに外科医の頭部の位置及び配向と組み合わせる。この情報を用いて、ビデオレンダリング及びオーグメンテーションシステムは、ビデオ信号を作り出し、この信号を外科医の仮想現実ディスプレイ２２８へと送信する。このブロック図は、概して、デバイスに関して記載しているが、代替的な実施形態は、システム内でのデータのより複雑な処理及び使用を可能にするために追加のセンサ及び要素ならびにブロック図の構成要素間の追加の接続を有することに留意されたい。
【００７６】
［現実性の拡張］
外科医の施術能力を更に強化するために、現実性が、外科医に多くの情報を提供するように拡張されてもよい。この現実性の拡張は、仮想現実体験に追加することによって、外科医の施術能力を助長するように機能する。例えば、一実施形態では、デバイスのカメラはズーム機能を有する。外科医自身の眼はズームするよう命令することができないため、外科医にとって施術中にこのズーム機能を使用することは不自然であろう。しかしながら、アニメーションを使用して、外科医は、使用中に、拡大鏡またはルーペを選択し、自身の仮想眼球の前に拡大鏡を持ってくることができる。この現実性の拡張により、外科医は自身がズームの増加をもたらしているような感覚を得、それによって、外科医とデバイスとの間の自然な仮想現実の繋がりを維持することが可能となる。
【００７７】
別の実施形態では、外科医は、患者の腹部内に拡張現実要素を設置することができる。例えば、患者のＸ線スキャンを確認するために、外科医は、患者の腹腔内に（施術範囲外の領域であることが多い）仮想コンピュータモニタを設置することを選択する場合がある。この仮想現実モニタにより、外科医が、施術の仮想現実性から出ることなく画像をめくることが可能となる。
【００７８】
別の実施形態では、コンピュータは、外科医の視野の範囲内でロボットアームの位置を追跡する。外科医が過剰な力を加えると、コンピュータが、外科医のビュー内のロボットアームの色を赤く見えるように拡張させる。同様に、ロボットアームまたは外科手術用エンドエフェクタは、外科医が焼灼装置での焼灼を有効にしたときに色を変化させるように設定されてもよい。
【００７９】
［中央接続システム］
図７Ａ及び７Ｂは、中央接続システムを示す。中央接続システムは、アームの支持、カメラアセンブリ１０２の支持、ならびにケーブル及び電力システムのルーティングを含む、複数の目的を果たす。中央接続システムは、導管１００に接続された主中心体１３１を備える。この接続は、スプライン、圧入、接着、溶接、または任意の他の既存の取り付け手段といった、当業者に既知の任意の標準的な取り付け方法により形成される。図７Ｂは、後述されるように、アームが４つの実施形態で使用される接続ワイヤのケーブルトラック１３７を示す。前部カバー１３３により、ケーブルがトラック内に保持される。
【００８０】
患者の体内に入るケーブルは、導管内で、図７Ｃの分解図に示されるように、プーリシステム１３２を介して適切なアクチュエータへとルーティングされる。これらのプーリは、ケーブルが緩んでいるときでさえも適切な場所に留まるように、ｖ字の溝１３５内にケーブルを捉えている。プーリの車軸１３６は、適切な場所に機械加工されるか、または事前に開けられた穴に嵌合するかのいずれかである。後部カバー１３４は、テープ穴１３８に螺合するボルトで適切な位置に固定される。
【００８１】
一実施形態で使用される中央接続システムは、１つのトロカールを通してシステム全体を挿入することを可能にするが、代替的な実施形態は、複数個の単一アームユニットが別個のトロカールを通して挿入されることを可能にする。例えば、３つのトロカールを使用して、２つの人間型ロボット操作装置と１つの仮想現実カメラとを導入してもよい。この構成により、同じ仮想現実手術が、中央接続システムを必要とすることなく達成されるであろう。しかしながら、必要とされる患者の切開部の数を増加させ、挿入された後のデバイスの操縦性を低下させるであろう。
【００８２】
［ヒンジアクチュエータの設計］
第１のアクチュエータ１１０（図２Ａ）、第３のアクチュエータ１１２、第５のアクチュエータ１１４、及び第７のアクチュエータ１１６は、ヒンジアクチュエータである。一実施形態において、ヒンジアクチュエータは、可能な限り小さな空間で適切なトルク及び速度を提供するために、ケーブル駆動型である。この小型のアクチュエータ設計により、非常に小さな切開部による挿入が可能となる。図８Ａ及び図８Ｂは、ヒンジアクチュエータの斜視図である。このヒンジアクチュエータには、メス型部品を別のアクチュエータまたは他のデバイス要素に取り付けるために、複数のボルト穴１４０を伴う２つのメス型構成要素１３９が含まれる。この取り付けにより、近位接続構成要素が形成される。代替的な設計には、他の既知の手段による取り付けが含まれる。これらの手段は、単一体としてのメス型ヒンジ構成要素及び近位に取り付けられた構成要素の作製を含み得る。メス型構成要素は、アクチュエータのオス型構成要素のための領域を除き、離間している。各メス型構成要素には、近位に接続されたシステムから遠位のアクチュエータまで紐、ケーブル、ワイヤ、及び他のシステムをアクチュエータに通すための、複数の紐誘導穴１４２が含まれる。代替的な設計では、紐誘導穴は、システムが同様に通過できるスロットまたは単一の穴と置き換えられる。更に、各メス型ヒンジ構成要素は、メス型軸受面１４１を含む。一実施形態において、メス型軸受面は、平滑な機械加工面を備える。しかしながら、代替的な設計としては、転がり軸受、ニードル軸受、流体軸受、または任意の他の軸受種が含まれる。
【００８３】
図８Ａ及び図８Ｂは、更に、主ヒンジ体１４３を示す。この主ヒンジ体には、更なるアクチュエータまたはシステムへの接続に使用される、複数のボス１４４をその遠位端に備える、遠位接続構成要素が含まれる。これらのボスには、遠位システムをアクチュエータのボスに取り付けることを可能にするための複数のネジ穴１４５が含まれる。一実施形態ではボルトによる取り付けが含まれるが、主ヒンジ体を有する単一体として遠位に取り付けられる構成要素の作製を含む、任意の取り付け手段が適切であり得る。主ヒンジ体には、近位に接続されたシステムから遠位のアクチュエータまで紐、ケーブル、ワイヤ、及び他のシステムをアクチュエータに通すための、複数の紐誘導穴１５３が含まれる。これらの紐誘導穴は、メス型構成要素の紐誘導穴１４２と同じ邸宅で機能する。主ヒンジ体は更に、プーリまたはキャプスタン１４６を備える。このキャプスタンは、ヒンジジョイントを作動させる手段である。２つのアクチュエーションケーブルが、近位に取り付けられた本体において導管１４９内から経路１４７に沿って供給される。これらのケーブルは、プーリの周りに巻き付き続け、ケーブル終端部位１４８において終端処理される。
【００８４】
一実施形態において、硬性表面とネジ穴１５０に配置された止めネジとの間にケーブルを挟むことによって、ケーブルが終端処理される。あるいは、ケーブルは、当該技術分野で既知の任意の適切な手段を用いて終端処理されてもよい。例えば、ポリマーファイバケーブルは、ケーブル結び目を作ることにより終端処理してもよく、または金属ファイバケーブルは、圧着接続によって終端処理してもよい。一実施形態において、２つの作動方向のそれぞれに、反対方向でプーリの周りに通された独立したケーブルが提供される。代替的な設計は、第１のアクチュエーションケーブル導管穴１４９を介して進入し、プーリの周りを１回または複数回巻き付き、第２のケーブル導管穴から出る単一のケーブルを含む。この設計により、アクチュエータ内でケーブルを終端処理する必要性が排除され、ケーブルがプーリを滑ることを可能にする。いずれの実施形態も、特定の用途に応じて適切であり得る。別の実施形態では、単一のケーブルが、ヒンジアクチュエータをある方向に作動させ、一方でバネまたは他のエネルギー蓄積装置により反対方向の作動が提供される。
【００８５】
図８Ａ及び図８Ｂは更に、主ヒンジ体１４３の両側に、外形付けられたプロファイル表面１５２が作製されていることを示す。この外形付けされたプロファイルにより、アクチュエータケーブル、ワイヤ、及び任意の他のシステムが、ヒンジジョイントを通って近位アクチュエータ及びデバイスから遠位アクチュエータ及びデバイスに到達することが可能となる。図９Ａ及び９Ｂは、外形経路の機能を示す断面図を示す。経路は、通過するケーブル及びシステムの中立軸１５８（図９Ａ及び図９Ｂ）が、全ての時点でほぼ同じ長さに留まるように、外形付けられる。長さは、主ヒンジ体１４３がメス型ヒンジ部品に対して回転する間も、相対的に変化しない。この外形状は、アクチュエータを通るケーブルのＣＡＤ分析を用いて生成された。外形状は、一実施形態において、ケーブルが全ての作動位置でその開始時の長さの約１％以内に留まるまで、調整した。本実施形態では、外形表面は、アルミニウムから形成される。ポリマーファイバケーブルが表面に沿って通っている。代替的な設計としては、低摩擦性材料から作成された（または低摩擦性材料でコーティングされた）表面、低摩擦性材料でコーティングされたケーブル、または摩耗耐性材料から作成された表面のいずれかが含まれる。更に、表面は、表面とケーブルとの間の摩擦を更に低減させるように、複数の捕捉されたローラ、ボール、またはプーリを更に備えてもよい。
【００８６】
外形付けした表面１５２を追加することにより、ヒンジアクチュエータは、結果として遠位システムを作動させることなく、広い角度範囲で作動することができる。外形付けした表面により、連動した運動を伴うことなく数十のケーブルをヒンジアクチュエータに通すことが可能となる。これにより、アクチュエータ間でいずれの大幅な連動した運動を伴うことなく、多数のケーブル駆動型アクチュエータをヒンジアクチュエータの遠位側に取り付けることが可能となる。現在外科手術で使用されている代替的なアクチュエータ設計は、せいぜい、ある程度連動した運動を伴って数個のケーブルを通すことができるだけである。この外形付けした表面により、多数のケーブルの連動する運動をほぼ完全に解除することが可能となり、それによって、７自由度のロボットアームが１２ｍｍのトロカールに適合することを可能にする。
【００８７】
一部の実施形態では、アクチュエータ内のアクチュエータケーブルの長さの変化は、アクチュエータが１１０度の移動範囲にわたって移動するため、約１０％未満である。他の実施形態において、長さの変化は、約９％未満である。なおも更なる実施形態において、長さの変化は、約８％未満である。なおも更なる実施形態において、長さの変化は、約７％未満である。なおも更なる実施形態において、長さの変化は、約６％未満である。なおも更なる実施形態において、長さの変化は、約５％未満である。なおも更なる実施形態において、長さの変化は、約４％未満である。なおも更なる実施形態において、長さの変化は、約３％未満である。なおも更なる実施形態において、長さの変化は、約２％未満である。なおも更なる実施形態において、長さの変化は、約１％未満である。
【００８８】
各ヒンジアクチュエータは更に、図８Ｂに示されるように、２つのオス型ヒンジ体１５４を備える。各オス型ヒンジ体は、プロファイルが主ヒンジ体１４３の歪曲プロファイル表面に同一のプロファイルである歪曲プロファイル表面１５２を有する。このプロファイル表面は、主ヒンジ体のプロファイル表面と同一に機能する。更に、各オス型ヒンジ体は、オス型ヒンジ体を主ヒンジ体に取り付けるための複数のボルト穴１５７を備える。ボルトが主ヒンジ体のネジ穴１５１に螺合されて、オス型ヒンジ体が主ヒンジ体に半永久的に固定される。オス型ヒンジ体は、ヒンジジョイントのヒンジピンとして作用するオス型ボス１５５を更に備える。オス型ボスに沿った軸受面１５６は、メス型ヒンジ構成要素１３９の軸受面１４１と関連して作用する。これらの面は、ヒンジジョイントの軸受を提供する。軸受が一緒に機能して、軸受システムが形成される。メス型軸受面にあるように、オス型軸受面は、円筒状の機械加工面であってもよく、または代替として、レースと、ボール、ニードル、流体等といった任意の種類の軸受とを含んでもよい。
【００８９】
一実施形態では、複数のボルトによりオス型ヒンジ体１５４が主ヒンジ体１４３に固定されるが、任意の代替的な固定方法が許容され得る。１つの代替的な設計では、接着剤を用いて本体を固定する。別の設計では、本体は、単一体として作製され、それによって固定手段の必要性が排除される。１つの部品として作製することにより、作製作業の複雑さは増すが、組み立ての複雑さは軽減される。
【００９０】
一実施形態において、全てのヒンジアクチュエータは同一となるように設計されるが、しかしながら、代替的な実施形態には、１つ、３つ、５つ、及び７つのアクチュエータの具体的な必要性を満たすために異なるヒンジアクチュエータが含まれる。例えば、第１のアクチュエータは、マイナス５０度〜プラス５０度の範囲の動作を必要とし得る。したがって、本設計のアクチュエータは、理想的に機能する。しかしながら、第５のアクチュエータ（エルボジョイントを表す）は、約０度〜１６０度の範囲の動作を必要とし得る。したがって、適切な動作範囲を有する改良されたアクチュエータが、このジョイントには理想的である。
【００９１】
更に、代替的な実施形態には、一実施形態のアクチュエータとは大幅に異なるヒンジ式アクチュエータが含まれてもよい。アクチュエータは、モータ、ギヤボックス、ピストン、または任意の他のジョイントアクチュエーション手段を含み得る。
【００９２】
別の実施形態において、アクチュエータは、ジョイントの位置を測定するためのエンコーダを更に備える。測定は、ａｍｓ  ＡＧによるＡＳ５０５５に類似のホール効果エンコーダを用いて取得される。そのようなエンコーダは、ヒンジジョイント内に容易に嵌合し、１２ビットの解像度で位置のリアルタイム測定を提供する。あるいは、光学及び抵抗エンコーダを含む、位置を測定する任意の手段を使用してもよい。データは、ワイヤを介して腹腔外のシステムに通信される。一部の実施形態では、データは無線で通信される。他の実施形態では、データは、導電性アクチュエータケーブルをワイヤとして使用して通信される。アクチュエータケーブルまたはその個々の線は、電気絶縁体でコーティングされ、ケーブルが、機械力の伝送に加えて、電力及びデータのうちの少なくとも１つを伝送することが可能となる。
【００９３】
代替的な実施形態では、更に、ヒンジジョイントの負荷時に歪みを受ける部材に固定された少なくとも１つの歪みゲージを備える。そのような歪みゲージにより、アクチュエータが受ける力の測定が可能となる。
【００９４】
［回転式アクチュエータの設計］
一実施形態の第２、第４、及び第６のアクチュエータ１１１、１１３、１１５（図２Ａ）は、回転式アクチュエータである。図１０Ａ、図１０Ｂ、及び図１０Ｃは、一実施形態の回転式アクチュエータの図を示す。一実施形態において使用されるヒンジアクチュエータと同様に、回転式アクチュエータは、ケーブルにより駆動される。アクチュエータは、最小限のサイズで最大限のトルク及び速度を提供するように設計されている。
【００９５】
回転式アクチュエータは、回転式メス型本体１６０を備える。回転式メス型本体は、それぞれが複数のボルト穴１７２を有する複数の近位接続ボス１７９を備える、近位接続部品を有する。ボルトによって近位接続ボスが近位アクチュエータまたは構造体に固定される。一実施形態では、固定手段としてボルトを用いるが、種々の代替的な固定手段が許容される。１つの代替的な設計では、回転式メス型本体及びそれが固定される近位構造体は、単一体として作製される。
【００９６】
回転式オス型本体１５９は、回転式メス型本体１６０内に挿入される。回転式オス型本体は、それぞれが複数のテープ穴１６８（図１０Ｃ）を有する遠位接続ボス１８０（図１０Ａ及び図１０Ｂ）を備える、遠位接続構成要素を有する。テープ穴に螺合されるボルトは、遠位システムを回転式オス型本体に接続する機能を果たす。ここでも、任意の代替的な取り付け手段が適切であり得る。
【００９７】
回転式オス型本体は、小さな転がり軸受１６１及び大きな転がり軸受１６２（図１０Ａ及び図１０Ｂ）の２つの転がり軸受を備える軸受システムによって、回転式メス型本体と比べると拘束されている。これらの転がり軸受は、Ｖ字型の軸受レース１７３及び１７４（図１０Ｄの断面図が最もよくわかる）によって軸方向の荷重及び半径方向の荷重の両方を支えるように作用する。Ｖ字型のレースにより、軸受は、実質的な軸方向及び半径方向の荷重を受けることができるが、軸受は、もはや最適な回転要素としての軸受ではなくなる。軸受のボール１８１（図１０Ｃ）が軸受レースに沿って回転するときに、わずかな滑りが起こるが、この滑りは、非常に小さなボールにより最小限に抑えられる。一実施形態において、軸受のボールは、直径およそ１ｍｍである。デバイスのＲＰＭが低いため、摩耗の心配はほとんどない。
【００９８】
デバイスのサイズを最小限に抑えるために、転がり軸受は、デバイスに内蔵される。大きな転がり軸受１６２は、２つの軸受レース１７３を有する。一方のレースは、回転式メス型本体の遠位面に形成され、他方のレースは、大きな軸受のレースリング１６３に形成される。一実施形態では、製造費用を減らすために別個のリングに形成された軸受レース備えるが、代替的な実施形態では、回転式オス型本体に直接形成された軸受レースが含まれる。この代替的な設計により、製造の複雑さが増すが、デバイスのサイズは小さくなる。
【００９９】
小さな軸受１６１は、アクチュエータの近位端に設置される。この小さな軸受は、回転式オス型本体１５９を回転式アクチュエータの近位回転式メス型本体１６０内に拘束する機能を果たす。この小さな転がり軸受は、近位接続ボス１７９の間に嵌合できるように、大きな転がり軸受１６２よりも小さい。小さな転がり軸受は、小さな転がり軸受のレースリング１６４及びスプライン転がり軸受のレースリング１６５に形成されたＶ溝レースを備える。スプライン転がり軸受のレースは、回転式オス型本体の近位端の表面に形成されたスプラインと嵌合するスプラインをその内面に有する。最後に、ナット１６６が、回転式オス型本体の近位表面に螺合される。このナットにより、小さい転がり軸受と大きい転がり軸受の両方が圧迫され、このナットは、ナットを回転させることによって印加される逆歪み力により２つの軸受の間に回転式メス型本体を挟持するように機能する。この逆歪み力は、意図される作動軸を除く全ての自由度で、回転式オス型本体を回転式メス型本体に拘束させる。
【０１００】
更に、回転式オス型本体とスプライン型転がり軸受レースリング１６５との間のスプライン表面は、スプライン型転がり軸受レースリングが使用時に回転式オス型本体に対して回転することを防ぐ。これにより、時間と共にナットを緩める可能性のあるあらゆるトルクをナットから取り除く。代替的な実施形態では、ナットは、ネジロック剤、接着剤、割りピン、または任意の単手段により、正しい位置で保持される。更に別の代替的な実施形態において、ナットは、Ｅ型クリップまたは他の取り付け手段と置き換えられ、回転式オス型本体は、取り付けの際に歪みを受け、軸受の逆歪みが生じ得る。更に別の実施形態では、小さな軸受レースリング及びスプライン型軸受レースリングの一方または両方が除去され、軸受レースが、ナット及び回転式メス型本体のうちの１つ以上に形成される。この変化により、デバイス全体の長さ及びデバイスの部品の数が減少する。
【０１０１】
回転式ケーブルアクチュエータの小さな転がり軸受及び大きな転がり軸受のいずれも、Ｖレース型転がり軸受であるが、適切な荷重を支持することができる任意の種類の軸受を使用してもよいことに留意されたい。例えば、代替的な実施形態では、スラスト荷重及びアキシアル荷重に対して２つずつ、４つの転がり軸受を用いる。別の代替的な実施形態では、アキシアル荷重には滑り軸受を使用し、スラスト荷重には転がり軸受を使用する。更に他の実施形態では、アキシアル荷重及びスラスト荷重に滑り軸受のみを用いる。滑り軸受は、摩擦が増すが、サイズ及び複雑さの減少は、一部の用途では有益である。別の実施形態には、円錐型ニードル軸受が含まれ、そのような軸受は、理論上は、回転式ケーブルアクチュエータ内に荷重がかかるタイプには理想的であるが、製造はより困難かつ高価である。
【０１０２】
回転式オス型本体１５９が回転式メス型本体１６０内に固定された状態で、アクチュエーションケーブルは、近位側に取り付けられたアクチュエータから、経路に沿って供給される。これらのケーブルは、回転式オス型本体と回転式メス型本体との間の空間に供給される。図１０Ｄは、回転式ケーブルアクチュエータの断面図を示す。この断面図では、回転式メス型本体１６０に形成されたケーブル分離隆起部１７５が容易に確認される。分離隆起部は、各アクチュエータケーブルを回転式オス型本体１５９に巻き付けるようにほぼ完全に封入するポケット１７６を形成する機能を果たす。
【０１０３】
アクチュエーションケーブルのそれぞれは、外形付けされた経路１６９及び１７７に従ってアクチュエータに入る（図１０Ａ及び図１０Ｂ）。これらの経路により、アクチュエータケーブルが閉鎖されたポケット１７６（図１０Ｄ）へと入ることが可能となる。経路は、回転式メス型本体１６０に形成され、ケーブルが平滑な経路に従って閉鎖ポケットに入り、回転式オス型本体を囲むように、外形付けられる。２つのアクチュエータケーブルのそれぞれが、逆方向で回転式オス型本体に巻き付くことに留意することが重要である。したがって、回転式オス型本体は、各回転方向の作動に１つずつ、２つのプーリを形成する。アクチュエーションケーブルは、それぞれが、回転式オス型本体に複数回巻き付き、多数の回転の作動が可能となる。回転式オス型本体に巻き付いた後、アクチュエーションケーブルは、ケーブル終端処理穴１７１から回転式オス型本体へと進入し、ネジ穴に設置されるネジセットを用いて回転式オス型本体にしっかりと取り付けられる。回転式メス型本体の穴１７０により、レンチが留めネジにアクセスすることが可能となる。
【０１０４】
回転式アクチュエータの代替的な実施形態は、任意の適切な代替手段で終端処理されたアクチュエーションケーブルの取り付けを含む。例えば、ケーブルは、ケーブルに結び目を作ることにより終端処理され得る。他の代替的な終端処理手段としては、接着剤、圧着接続、挟着、キャプスタン、溶接、または任意の他の適切な手段が挙げられる。あるいは、アクチュエーションケーブルは、全く終端処理がなされなくてもよい。単一のアクチュエーションケーブルが、アクチュエータの一方の側から挿入され、回転式オス型本体の周りに複数回巻き付けられ、アクチュエータの反対側から出てもよい。そのような回転式アクチュエータは、連続的な回転を可能にし、なおもまた回転式オス型本体に沿ったケーブルの滑りを可能にする。
【０１０５】
回転式オス型本体の中心は、中空になるように形成される。これにより、アクチュエータを通る穴１７８が形成される。この穴は、図１０Ｄの断面図に最も良好に明視化されているが、図１０Ｃでも見ることができる。この穴は、ケーブル及び他のシステムが、回転式アクチュエータを通って近位側のアクチュエータ及びシステムから遠位側のアクチュエータ及びシステムに至ることを可能にするため、デバイスの機能にとって極めて重要である。面取り部１６７は、ケーブルが穴を通るときに鋭利な縁部を除去することによって、ケーブルの摩耗を低減させる。回転式アクチュエータの中心を一直線に通る経路を提供することにより、回転式アクチュエータが位置を変化させたときに、通っているケーブルの長さがほとんど変化しない。これは、遠位側のアクチュエータを回転式アクチュエータの動きからほぼ完全に切り離すため、非常に重要である。穴１７８を通るケーブルのねじれに起因していくらかの連動する動きが生じるが、このねじれにより生じる全回転（３６０度）１回以内の作動の効果は無視できる程度であり、全回転２回以内の作動の効果はほとんどないことに留意されたい。当然ながら、１つを上回るケーブルが穴を通ることにより、回転式アクチュエータは、ケーブルの束がねじれることに起因して無限に回転することはできない。
【０１０６】
穴１７８がケーブル駆動型回転式アクチュエータに含まれることにより、多自由度のデバイスが１２ｍｍのトロカールに適合することが可能となる。動きがほぼ連動することなくケーブルをアクチュエータに通すことを可能にする手段を微小なケーブル駆動型アクチュエータに提供することによって、複数の回転式アクチュエータは、ロボットアーム内で直列に用いられ得る。遠位に取り付けられた回転式アクチュエータならびに任意の遠位に取り付けられたシステムからのケーブルは、単純に、穴１７８を通過することができ、それによって、動きが十分に切り離された状態でアクチュエータにデイジーチェーンを行うことが可能となる。
【０１０７】
一部の実施形態では、アクチュエータ内でのアクチュエータケーブルの長さの変化は、アクチュエータが３６０度の可動域全体で移動するとき、約２０％未満である。他の実施形態において、長さの変化は、約１９％未満である。なおも更なる実施形態において、長さの変化は、約１８％未満である。なおも更なる実施形態において、長さの変化は、約１７％未満である。なおも更なる実施形態において、長さの変化は、約１６％未満である。なおも更なる実施形態において、長さの変化は、約１５％未満である。なおも更なる実施形態において、長さの変化は、約１４％未満である。なおも更なる実施形態において、長さの変化は、約１３％未満である。なおも更なる実施形態において、長さの変化は、約１２％未満である。なおも更なる実施形態において、長さの変化は、約１１％未満である。なおも更なる実施形態において、長さの変化は、約１０％未満である。他の実施形態において、長さの変化は、約９％未満である。なおも更なる実施形態において、長さの変化は、約８％未満である。なおも更なる実施形態において、長さの変化は、約７％未満である。なおも更なる実施形態において、長さの変化は、約６％未満である。なおも更なる実施形態において、長さの変化は、約５％未満である。なおも更なる実施形態において、長さの変化は、約４％未満である。なおも更なる実施形態において、長さの変化は、約３％未満である。なおも更なる実施形態において、長さの変化は、約２％未満である。なおも更なる実施形態において、長さの変化は、約１％未満である。
【０１０８】
［把持器の設計］
デバイスの最大限の有用性を可能にするために、一実施形態のエンドエフェクタは、複数の作業を達成するように設計される。非ロボットの低侵襲の外科手術の際には、外科医は、単純に、機器を取り出し、別の機器を挿入することができる。しかしながら、一実施形態に記載されるように、本発明の外科手術用デバイスでは、エンドエフェクタを取り替えるためにデバイスを取り出すことは、非実用的な場合がある。この理由から、汎用エンドエフェクタが、一実施形態に組み込まれる。
【０１０９】
典型的な外科手術処置の際、外科医は、柔らかい組織と硬い機器の両方を把持する必要がある。例えば、外科医は、腸の２つの柔らかい部分を一緒に動かし、小さく硬いニードルで縫合することを所望する場合がある。腸の把持には、繊細な操作を行うことが可能な把持器が必要とされ、一方でニードルの把持には、強い力が必要とされる。単一のエンドエフェクタの能力を最大限にするために、一実施形態の把持器を、可変の力で把持するように設計した。
【０１１０】
図１１Ａは、一実施形態における把持器の斜視図を示す。図１１Ａは、更に、取り付け済みの遠位ヒンジジョイント、デバイス内の他のヒンジジョイントのものと同一であるメス型ヒンジ構成要素１３９を有する第７のアクチュエータ１１６（図２Ａ）も示す。把持器は、汎用の組織操作に十分な長さを提供するように設計された２つのジョー部１８７及び１８８から構成される。一実施形態において、把持器ジョー部は、更なる把持トラクションを可能にするためにギザギザの歯１８９を有する。あるいは、把持器は、当該技術分野で既知の任意の適切な表面を有して設計されてもよい。
【０１１１】
ジョーは、オス型把持体１８５とメス型把持体１８６との間、ならびに屈曲性挟着体１８２と１８３との間で、適所に保持される。オス型把持体、メス型把持体、及び屈曲性挟着体は、一緒に、主把持体を形成する。代替的な実施形態には、単一の本体、より少ない本体、またはより多くの本体から構成される主把持体を含む。これらの本体は、把持器内の構成要素を支持し、第７のアクチュエータ１１６を含むヒンジジョイントの遠位部分を形成するように作用する。把持器ジョー部と第７のアクチュエータとの間の距離を可能な限り小さくするために、ヒンジジョイントの遠位部分が、オス型把持体１８５及びメス型把持体１８６に形成される。代替的な実施形態では、別個のヒンジジョイントが使用され、把持器には、代わりに、ヒンジジョイントの遠位端に把持器の近位端を固定するための取り付け部位が含まれる。
【０１１２】
一実施形態において、オス型把持体１８５は、嵌合特徴部１９８ならびにボルト穴に螺合する複数のボルトによって、メス型把持体１８６に固定される。代替的な実施形態では、本体は接着剤等の手段によって一緒に固定されてもよく、または複数の構成要素が１つの本体として製造されてもよい。把持器を収容することに加えて、組み立てられたオス型把持体及びメス型把持体は、オス型ヒンジ体１８４と共に、ヒンジの遠位部分を形成する。このヒンジジョイントは、システム内で、記載される他のヒンジジョイントと同じ様式で機能する。
【０１１３】
図１１Ｂは、把持器の分解図を示す。把持器の中央には、把持器ジョー部１８７及び１８８がある。これらのジョー部は、ピン１９９、２００、２０１、及び２０２によってオス型把持体１８５及びメス型把持体１８６に連結される。これらのピンは、把持器ジョー部の穴１９７に滑合する。一実施形態において、ピンは、把持器ジョー部の中心までは延在せず、したがって、把持器ジョー部の中心部内に開放された切り欠きスロット２０７が維持される。
【０１１４】
ピン２０３は、各把持器ジョー部１８７及び１８８（図１１Ｂ）の端部に形成される。これらのピンは、連結部材１９０及び１９１の穴２０４に滑合し、ヒンジ接続を形成する。各連結部材が、把持器ジョー部のピン２０３に接続され、プーリピン２０５のうちの１つが、各プーリ１９２及び１９３の本体に形成される。加えて、プーリピン２１０が移動して、オス型把持体１８５及びメス型把持体１８６に形成されたスロット内に入る。オス型把持体に形成されたスロット２０６は、図１１Ａにはっきりと見られる。同一のスロット（図示されない）が、メス型把持体に形成される。
【０１１５】
前述の把持器部品によって形成される連結機構は、各プーリ１９２及び１９３の動きが遠位方向と近位方向との間で直線に制限されるような連結を形成する。アクチュエーションケーブルは、主把持体から各プーリの周りを通って、主把持体内で近位に位置する終端部位に供給される。各アクチュエータケーブルが引っ張られると、それぞれのプーリが近位方向に引き込まれる。滑車機構による２倍の機械倍力が、各連結用プーリによって得られる。代替的な実施形態では、代替的なプーリ配設が含まれるか、またはプーリを全く有さず、１倍の機械倍力となる。一実施形態では、ケーブルは、止めネジによってネジ穴に挟着される。他の実施形態では、ケーブルは、ノット、屈曲挟着、または接着剤といった、当該技術分野で既知の任意の手段によって終端処理され得る。
【０１１６】
一実施形態では、遠位プーリ１９２及び近位プーリ１９３という２つのプーリがある。把持器ジョー部が移動すると、プーリは反対方向に移動する。関連する連結部は、図１１Ｃ及び図１１Ｄの断面図に見ることができる。図１２Ａ及び図１２Ｂの連結図が示すように、把持器の先端部が離れると、プーリは離れる。把持器の先端部が一緒に移動すると、プーリは一緒に移動する。第１のケーブルが、矢印２１１が示すように引っ張られると、近位プーリが近位方向に引き込まれる。近位連結部２１４を通じて力が伝達され、この連結により、把持器ジョー部の先端部２０８が、図１２Ａが示すように矢印２０９の方向に離される。第２のケーブルが矢印２１２により示されるように引っ張られると、遠位プーリが近位方向に引き込まれる。遠位連結部２１３を通じて力が伝達され、この連結により、把持器ジョー部の先端部２０８が、図１２Ｂが示すように矢印２１０の方向に一緒に移動する。本実施形態における把持機構は、アクチュエータケーブルの動きと把持器ジョー部の先端部の動きとの間に非直線関係を有する。この非直線運動は、ジョー部が閉じるときに最も高い倍力を提供する。これは、把持器が、ニードル等の小さなツールの取り扱い中には高い荷重に対応することができ、一方で組織等の大きな物体を把持するときには小さな力を与えることもできるという利点を有する。
【０１１７】
代替的な実施形態では、単一の連結及びプーリを使用して、把持器の先端部を両方向に動かす。１つのケーブルが近位方向から引かれ、１つが遠位方向から引かれる。一実施形態では二重連結により両方のケーブルを近位方向から引くことが可能となり、それによってケーブルのルーティングが単純化できるが、複雑さが増し、部品の数が増える。別の実施形態では、バネまたは他のエネルギー蓄積装置により１つの方向での作動が得られ、一方で単一のアクチュエーションケーブルにより、反対方向での作動が得られる。
【０１１８】
一実施形態では、ジョー部１８７及び１８８（図１１Ｂ）、ならびに全ての接続された連結及びプーリは、組み立てられたオス型把持体及びメス型把持体へと挿入される。前述のように、これらの部品は、ピンによって適切な位置に固定され、屈曲性挟着体１８２及び１８３に形成される。１つの把持器ジョー部１８７を留めているピン１９９及び２００は、屈曲性挟着体にしっかりと取り付けられる。しかしながら、第２の把持器１８８を留めているピン２０１及び２０２は、屈曲性挟着体にしっかりと固定されない。屈曲部１９４及び１９５は、ピン２０１及び２０２を、それぞれの屈曲性挟着体へと連結する。
【０１１９】
力が把持器の先端部に加えられると、ピン１９９、２００、２０１、及び２０２の位置を動かすように作用する力がもたらされる。ピン１９９及び２００はしっかりと固定されたままであるが、ピン２０１及び２０２は、屈曲部が弾性的に変形されると、荷重によりわずかに変位する。屈曲部の正確な変位は、屈曲部に固定され、歪みゲージポケット１９６（図１１Ａ）及び図では確認できないがデバイスの反対側にあるもう１つの同様のポケット内に配置された歪みゲージを用いて測定することができる。標準的な技法を使用して、情報を取得し、屈曲部の歪み及び把持器の力を計算することができる。
【０１２０】
屈曲部のサイズは、歪みゲージにより用途に適した力を測定することができるように選択される。把持器の力が屈曲部の弾性変形範囲を超える場合には、屈曲部が歪みゲージポケットのいずれかの側面に接触し、そこで確実に停止する。
【０１２１】
屈曲部の寸法及び機械的特性を用いて、把持器ジョー部の端部に作用する力が連続的に計算される。触覚によるフィードバックまたは制御コンソールでの視覚的合図といった様々な手段により、力のフィードバックが外科医に返され得る。更に、力制御アルゴリズムにより、把持力の閉鎖型ループ制御を提供することができる。ソフトウェアリミットを有効にして、許容できない力が与えられることにより組織を損傷することが防止される。これらのリミットは、手動または自動のいずれかの手段により処置中に変更することができる。
【０１２２】
代替的な実施形態には、接続連結部または把持器自体といった、システムのどこかに設置される歪みゲージが含まれる。実際の荷重計は、把持器の要素に含まれて設計され、それによって、測定の正確さ及び反復可能性の増加がもたらされ得る。
【０１２３】
［アーム長さの調整］
一実施形態において、ロボットアーム１０３及び１０４（図１Ａ）は、アーム長さを増大させるために、延長セグメント１０８を有して構成される。このアーム長さの増大により、腹腔内での到達距離の改善が可能となる。延長部を用いることで、アクチュエータの設計を修正することなく、アーム長さの調整が可能となる。例えば、小児科で使用するためのデバイスの実施形態は、より小さな腹腔内における操縦性のために、より小さなアームを要する場合がある。そのようなデバイスは、アーム延長部を取り除いて作成されてもよい。非常に大きな長さの変化を有する代替的な実施形態は、人間に似た比率を維持するために、カメラの位置及びショルダの幅の修正を要する。
【０１２４】
図１３は、一実施形態で使用される延長セグメントの図を示す。そのような延長セグメントは、近位接続部位２１５で既存の近位アクチュエータと接続し、遠位接続部位２１６で遠位アクチュエータと接続するのを可能にするために、近位端と遠位端とを有する１つの金属片から形成される。更に、デバイスに形成された中央チャネル２１７により、ケーブルが延長部を通って近位アクチュエータから遠位アクチュエータに到達することが可能となる。
【０１２５】
複雑な外科手術は、１人を上回る外科医の施術を要することが多い。これを考慮して、２人の外科医が使用するための、アームが４つのデバイスの実施形態を設計した。図１４Ａは、アームが４つの実施形態のデバイスを示す。そのようなデバイスは、４つのアームと２つのカメラを有し、これらの全てが単一のトロカールを通して挿入される。このアームが４つの実施形態により、２人の外科医が一緒に作業することが可能となる。アームが４つの実施形態では、一実施形態のものに類似の２つのデバイスが、別個に腹腔内に挿入され、それによって、２人の外科医が２つのロボットデバイスを使用することが可能となる。
【０１２６】
図１４Ａは、２人の外科医がデバイスの片側で作業するように構成された、アームが４つの実施形態を示す。この配向では、１人の外科医がもう１人の外科医の後ろに立っているように見える。それぞれアームが２つのデバイスが、デバイスのいずれの側でも操作できるということを用いて、外科医は、アームが４つの実施形態を使用する領域を選ぶことができる。外科医は、アームが２つの両方のシステムを、アームが４つのデバイスの片側で操作するように配向することができる（アームが２つのデバイスがいずれも同じ方向を向いている）。あるいは、外科医は、アームが２つの両方のデバイスを、２つのデバイス間の空間で操作するように、互いに向かい合わせて配向してもよい。外科医は、患者の片側で別個に操作するために、互いに反対側を向いていることさえもできる。
【０１２７】
腹腔内に２つのデバイスがある状態で、任意選択の接続連結部２１８により、デバイス２つのデバイスをしっかりと相互接続することが可能となる。この連結機構は、２つのロボットデバイスと共に、順に腹腔内に挿入される。例えば、外科医は、１つのロボットデバイスを挿入した後、接続連結部を挿入し、その後に第２のロボットデバイスを挿入することができる（全て１つのトロカールを通して）。接続連結機構にはまた、任意選択の中央支持体２１９が含まれ得る。この支持体は、患者の腹壁の第２の切開部を通じて外部に、接続連結部をしっかりと固定し、それによってロボットデバイスをしっかりと固定する。各導管１００の支持体に加えて、この第２の支持体により、デバイスの剛性を高めることが可能となる。非常に薄い中央支持体は、血管カテーテルに類似の針留置型カテーテルによって腹壁を通過し得る。この小さなカテーテルにより、中央支持体が腹壁を横断することによって引き起こされる患者損傷が、ほぼ完全に排除される。
【０１２８】
一設計では、追加のケーブルが、各導管１００（図７Ｂ）を通って、各主中心体１３１に到達する。これらのケーブルは、経路１３７を通って接続連結部２１８（図１４Ａ）の各部材へと到達し、少なくとも１つのケーブルが中央支持体で終端処理される。該ケーブルには、デバイス及び全ての部品を腹腔内に挿入するための十分な緩みが与えられる。全てのデバイスの部品が腹腔内に挿入されると、外科医は、ケーブルの一端を引き、それによって接続連結部の全ての部材を一緒に引くことができる。この組み立てプロセスは、テントのポール部分が紐によって取り付けられたままとなるキャンプ用テントの組み立てと同じ邸宅で機能する。これらのケーブルに適用される一定の機械力は、使用時に接続連結部をしっかりと一緒に固定するように機能し得る。
【０１２９】
あるいは、外科医は、接続連結部を取り外すか、または、接続連結部が提供されないデバイスを使用してもよい。一実施形態に記載される２つのデバイスを、接続連結部を必要としない１回の外科手術中に用いてもよい。アームが４つのシステムの一部の実施形態は、図１４Ｂに示されるように、両方の導管部材のための空間を有するアームが４つの単一のトロカールを通した挿入のために設計される。他の実施形態では、アームが２つの標準的な２つのトロカールによって設置される。一部の実施形態は、外科医が、ソフトウェアコマンドを用いて制御するアームを切り替えることができ、腹部内でいずれか１つまたは２つのアームを制御するように選択することすらできるように、相互接続するようなソフトウェア制御が可能である。アームは、外科医の制御下にない場合には、１人の外科医が多くのデバイス間の制御を交互に行うことができるように、場合によっては、ソフトウェアを用いて適切な場所に係止することができる。
【０１３０】
以下に特許請求される本発明の態様に加えて、本発明には、次の態様及び実施形態も含まれる。本発明のシステムには、アームが２つのロボットデバイス２つを一緒に連結させるシステムが含まれ得る。本発明のシステムにはまた、ロボットデバイスの挿入及び支持のためのトロカール、デバイス導管の支持のためのトロカールスリーブ、ならびにカメラ及び照明システムを有するトロカールスリーブが含まれ得る。外科医の腕及び手の動きを取得するためのセンサ構成もまた、本発明の一部と見なされる。本発明はまた、仮想現実ロボット外科手術のためのデバイスを含むと見なされ、ここでは、ロボットアクチュエータは、仮想現実ロボット外科手術のためのカメラシステム及びデバイスと永久的に連結されておらず、ロボットアクチュエータは、腹腔内のカメラシステムと連結されていない。本発明はまた、小さな部品の組み立て、爆弾の解除、密閉された空間内の検査及び修復、ならびに仮想現実ロボットの任意の他の用途において使用するための仮想現実ロボットデバイスも包含する。
【０１３１】
本発明の他の態様には、人間の腕に対する人間の眼の位置に類似した、ロボットアクチュエーションに対して配置される仮想現実カメラ、ならびにカメラ間の距離とロボットアームのサイズとの比率が人間に似ている仮想現実カメラが含まれる。本発明の更なる態様は、ロボットの動作のコンピュータによる制限である。挿入体及び患者の身体との接触または近接性を検出するためのセンサを有する挿入体を用いたデバイスの挿入もまた、発明的である。仮想現実外科手術システムで使用するためのカメラ（複数可）に関して、発明の態様には、カメラ本体内でのカメラの移動、画像のコンピュータ調整及び補正と組み合わせた非球面レンズを有するカメラ、広角レンズを有するカメラ、画像のコンピュータ調整及び補正と組み合わせた広角レンズを有するカメラ、ならびにデジタルまたは機械的手段によるズームができるカメラが含まれる。自然な人間に似たズームを可能にする拡大鏡またはルーペを表示する現実性の拡張及び腹部内での拡張現実デバイスの移動、腹部内の仮想コンピュータモニタの確認、ならびに現実性の拡張及びロボットアームまたは関連デバイスの表示による外科医へのフィードバックもまた、本発明の態様である。システムの別の発明態様は、多数のカメラからの画像を織り交ぜて単一の画像を形成することである。
【０１３２】
生理食塩水を使用したシステムの冷却もまた、本発明の一部である。本発明の別の態様は、照明を提供するため、かついくつかの小さな切開部を通して挿入される、光ファイバである。外科医の腕とロボットデバイスとの間の動きの拡大縮小を一定の倍率で行うこと、外科医の腕とロボットデバイスとの間の動きの拡大縮小をユーザにより構成可能な倍率で行うこと、ならびに外科医の腕とロボットデバイスとの間の動きの拡大縮小を外科医脳での位置における変化率に基づいて調整される倍率で行うこともまた、本発明のシステムの一部である。本システムのなおも更なる発明態様には、軸方向及び半径方向の両方の荷重支持を提供する転がり軸受、デバイスが第１の側部及び第２の側部の両方で操作可能となるように、必要とされる運動を上回る運動範囲を有するアクチュエータ、ならびに腹腔内から位置データを取得するためのホール効果エンコーダの使用が含まれる。把持器に関して、発明態様には、把持器内で倍力を提供するためのプーリの使用、１つのケーブルが把持器を開放し、２つ目のケーブルが把持器を閉鎖する状態で、２つのアクチュエーションケーブルが両方とも把持器の近位側から引くことができるような、把持器内の二重連結機構、屈曲部に沿って設置される歪みゲージを使用して把持力を正確に測定することを可能にするための、把持器ジョー部の枢動ピンに取り付けられた屈曲部の使用、ならびに把持器の連結部に含まれるように設計される荷重計の使用が含まれる。
【０１３３】
本明細書に開示される技法及びシステムは、ある特定の制御構成要素が、コンピュータシステムまたはコンピュータ化された電子デバイスで使用するためのコンピュータプログラム製品として実装されている場合がある。そのような実装としては、コンピュータ可読媒体（例えば、ディスケット、ＣＤ−ＲＯＭ、ＲＯＭ、フラッシュメモリもしくは他のメモリ、または固定ディスク）といった有形媒体に固定されているか、あるいは媒体上でネットワークに接続された通信アダプタといった、モデムまたは他のインターフェースデバイスを介してコンピュータシステムまたはデバイスに送信可能であるかのいずれかである、一連のコンピュータ命令、すなわち論理を挙げることができる。
【０１３４】
媒体は、有形媒体（例えば、光学もしくはアナログ通信ライン）または無線技法（例えば、Ｗｉ−Ｆｉ、セルラー、マイクロ波、赤外線、もしくは他の伝送技法）により実装される媒体のいずれかであり得る。一連のコンピュータ命令は、システムに関して本明細書に記載された機能性の少なくとも一部を組み込む。当業者であれば、そのようなコンピュータ命令が、多数のコンピュータアーキテクチャまたはオペレーティングシステムで使用するための多数のプログラミング言語で既述され得ることを認識するはずである。
【０１３５】
更に、そのような命令は、任意の有形メモリデバイス、例えば、半導体、磁気、光学、または他のメモリデバイスに記憶することができ、また任意の通信技法、例えば、光学、赤外線、マイクロ波、または他の伝送技法を用いて伝送することができる。
【０１３６】
そのようなコンピュータプログラム製品は、付属の印刷文書または電子文書を伴う取り外し可能な媒体として配布されてもよく（収縮包装ソフトウェア）、コンピュータシステムに予め組み込まれてもよく（例えば、システムＲＯＭもしくは固定ディスク）、またはネットワーク上でサーバまたは電子掲示板から配布されてもよい（例えば、ＩｎｔｅｒｎｅｔもしくはＷｏｒｌｄ  Ｗｉｄｅ  Ｗｅｂ）。当然ながら、本発明の一部の実施形態は、ソフトウェア（例えば、コンピュータプログラム製品）及びハードウェアの両方の組み合わせとして実装されてもよい。本発明の更なる他の実施形態は、完全にハードウェア、または完全にソフトウェア（例えば、コンピュータプログラム製品）として実装される。
【符号の説明】
【０１３７】
１０１  中心体
【図１Ａ】
2020036931.tif 000005
【図１Ｂ】
2020036931.tif 000006
【図２Ａ】
2020036931.tif 000007
【図２Ｂ】
2020036931.tif 000008
【図２Ｃ】
2020036931.tif 000009
【図３Ａ】
2020036931.tif 000010
【図３Ｂ】
2020036931.tif 000011
【図３Ｃ】
2020036931.tif 000012
【図３Ｄ】
2020036931.tif 000013
【図４】
2020036931.tif 000014
【図５Ａ】
2020036931.tif 000015
【図５Ｂ】
2020036931.tif 000016
【図５Ｃ】
2020036931.tif 000017
【図６Ａ】
2020036931.tif 000018
【図６Ｂ】
2020036931.tif 000019
【図７Ａ】
2020036931.tif 000020
【図７Ｂ】
2020036931.tif 000021
【図７Ｃ】
2020036931.tif 000022
【図８Ａ】
2020036931.tif 000023
【図８Ｂ】
2020036931.tif 000024
【図９Ａ】
2020036931.tif 000025
【図９Ｂ】
2020036931.tif 000026
【図１０Ａ】
2020036931.tif 000027
【図１０Ｂ】
2020036931.tif 000028
【図１０Ｃ】
2020036931.tif 000029
【図１０Ｄ】
2020036931.tif 000030
【図１１Ａ】
2020036931.tif 000031
【図１１Ｂ】
2020036931.tif 000032
【図１１Ｃ】
2020036931.tif 000033
【図１１Ｄ】
2020036931.tif 000034
【図１２Ａ】
2020036931.tif 000035
【図１２Ｂ】
2020036931.tif 000036
【図１３】
2020036931.tif 000037
【図１４Ａ】
2020036931.tif 000038
【図１４Ｂ】
2020036931.tif 000039
【図１５】
2020036931.tif 000040
【図１６】
2020036931.tif 000041
【図１７】
2020036931.tif 000042
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
外科手術で使用するためのシステムであって、
中心体と、
明視化システムであると共に、
ｉ．少なくとも１つのカメラとしての第１のカメラ、及び、
ｉｉ．パンシステム又はチルトシステムのうちの少なくとも１つ、を備える、明視化システムと、
前記少なくとも１つのカメラからの情報に基づいて画像を生成するためのビデオレンダリングシステムと、
前記ビデオレンダリングシステムからの画像を表示するための頭部装着型ディスプレイと、
前記頭部装着型ディスプレイの空間内での第１の基準点に対する位置、又は、前記頭部装着型ディスプレイの空間内での前記第１の基準点に対する配向のうちの少なくとも１つを追跡するための第１のセンサシステムであって、前記パンシステム又は前記チルトシステムのうちの少なくとも１つが、前記頭部装着型ディスプレイの空間内での前記第１の基準点に対する位置又は配向のうちの少なくとも１つの変化に関する当該第１のセンサシステムからの情報に応答して、前記カメラの視野を調整するように構成されている、第１のセンサシステムと、
前記中心体に操作可能に接続されたロボットデバイスと、
を備えた外科手術で使用するためのシステムにおいて、
前記ロボットデバイスが、
前記ロボットデバイスの第１の部分を前記ロボットデバイスの第２の部分に対して回転させるための第１の回転式アクチュエータと、
前記第１の回転式アクチュエータに操作可能に連結された、前記ロボットデバイスの第３の部分と前記ロボットデバイスの第４の部分との間の角度を変化させるための第１のヒンジ式アクチュエータと、
前記第１のヒンジ式アクチュエータに操作可能に連結された、前記ロボットデバイスの第５の部分を前記ロボットデバイスの第６の部分に対して回転させるための第２の回転式アクチュエータと、
前記第２の回転式アクチュエータに操作可能に連結された、前記ロボットデバイスの第７の部分と前記ロボットデバイスの第８の部分との間の角度を変化させるための第２のヒンジ式アクチュエータと、
前記第２のヒンジ式アクチュエータに操作可能に連結された、前記ロボットデバイスの第９の部分を前記ロボットデバイスの第１０の部分に対して回転させるための第３の回転式アクチュエータと、
前記第３の回転式アクチュエータに操作可能に連結された、前記ロボットデバイスの第１１の部分と前記ロボットデバイスの第１２の部分との間の角度を変化させるための第３のヒンジ式アクチュエータと、
前記第３のヒンジ式アクチュエータに操作可能に連結された外科手術用エンドエフェクタと、
当該ロボットデバイスを前記中心体の第１の側部または第２の側部のいずれかで使用することができるように、当該ロボットデバイスの位置を前記中心体に対して変化させるための位置アクチュエータと、
を備えている、ことを特徴とするシステム。
【請求項２】
前記ビデオレンダリングシステムが、更に、前記第１のセンサシステムからの情報に基づいて、前記生成された画像の視野をデジタル調整するためのものである、請求項１に記載のシステム。
【請求項３】
前記明視化システムが、第２のカメラを更に備える、請求項１に記載のシステム。
【請求項４】
前記ビデオレンダリングシステムによって生成された前記画像が、前記第１及び第２のカメラからの情報に基づく立体画像を含む、請求項３に記載のシステム。
【請求項５】
挿入構成において、挿入軸に垂直な面での前記明視化システムの断面寸法が、前記挿入軸に沿った前記第１のカメラと前記第２のカメラとの中心間距離よりも小さい、請求項３に記載のシステム。
【請求項６】
複数のカメラを備える、請求項１に記載のシステム。
【請求項７】
前記ビデオレンダリングシステムが、前記複数のカメラからのシグナル情報を織り交ぜるソフトウェアに基づいて画像を生成する、請求項６に記載のシステム。
【請求項８】
前記第１のカメラの位置又は配向のうちの少なくとも１つを測定するための少なくとも１つのカメラセンサを更に備える、請求項１に記載のシステム。
【請求項９】
前記外科手術で使用するためのシステムは更に、
使用者の腕の一部と関連した位置又は配向の一つ以上における変化を追跡するための第２のセンサシステムと、
人の腕の自由度に基づく前記使用者の腕の一部の位置又は配向の一つ以上における変化に応答して、前記ロボットデバイスの１２個の部分のうちの少なくとも一つの位置又は配向の一つ以上における変化を計算するためのコンピュータシステムと、
前記第１の回転式アクチュエータ、前記第２の回転式アクチュエータ、前記第３の回転式アクチュエータ、前記第１のヒンジ式アクチュエータ、前記第２のヒンジ式アクチュエータ、前記第３のヒンジ式アクチュエータ、又は前記外科手術用エンドエフェクタのうちの少なくとも一つの位置又は配向の少なくとも一つを調節するための制御システムであって、当該制御システムは、前記ロボットデバイスの１２個の部分のうちの少なくとも一つが前記使用者の腕の動きを模倣するように、前記ロボットデバイスの１２個の部分のうちの少なくとも一つの計算された位置又は配向に従って、前記使用者の腕の一部の位置又は配向の一つ以上における変化に追従することを前記ロボットデバイスに生じさせる、制御システムと、
を備える、請求項１に記載のシステム。
【請求項１０】
第２のロボットデバイスを更に備え、当該第２のロボットデバイスは、
前記第２のロボットデバイスの第１の部分を前記第２のロボットデバイスの第２の部分に対して回転させるための第４の回転式アクチュエータと、
前記第４の回転式アクチュエータに操作可能に連結された、前記第２のロボットデバイスの第３の部分と前記第２のロボットデバイスの第４の部分との間の角度を変化させるための第４のヒンジ式アクチュエータと、
前記第４のヒンジ式アクチュエータに操作可能に連結された、前記第２のロボットデバイスの第５の部分を前記第２のロボットデバイスの第６の部分に対して回転させるための第５の回転式アクチュエータと、
前記第５の回転式アクチュエータに操作可能に連結された、前記第２のロボットデバイスの第７の部分と前記第２のロボットデバイスの第８の部分との間の角度を変化させるための第５のヒンジ式アクチュエータと、
前記第５のヒンジ式アクチュエータに操作可能に連結された、前記第２のロボットデバイスの第９の部分を前記第２のロボットデバイスの第１０の部分に対して回転させるための第６の回転式アクチュエータと、
前記第６の回転式アクチュエータに操作可能に連結された、前記第２のロボットデバイスの第１１の部分と前記第２のロボットデバイスの第１２の部分との間の角度を変化させるための第６のヒンジ式アクチュエータと、
前記第６のヒンジ式アクチュエータに操作可能に連結された第２の外科手術用エンドエフェクタと、
を備えてなる、請求項１に記載のシステム。
【請求項１１】
前記第１のヒンジ式アクチュエータ、前記第２のヒンジ式アクチュエータおよび前記第３のヒンジ式アクチュエータのうちの少なくとも一つが、
第１の本体であって、
ｉ．当該アクチュエータを近位システムに連結させる近位接続部品と、
ｉｉ．第１の軸受面と、を備える、第１の本体と、
第２の本体であって、
ｉ．当該アクチュエータを遠位システムに連結させる遠位接続部品と、
ｉｉ．前記第１の軸受面を有する軸受を形成し、前記軸受がそれによって少なくとも１自由度で前記第１の本体の動きを前記第２の本体の動きに対して制限する、第２の軸受面と、を備える、第２の本体と、
前記第１の本体及び前記第２の本体のうちの少なくとも１つと操作可能に連結されるプーリ及びキャプスタンのうちの少なくとも１つと、
前記プーリ及び前記キャプスタンのうちの少なくとも１つを作動させるように構成される、アクチュエータケーブルと、
当該アクチュエータによって画定され、かつ外形付けされた経路を形成して、複数の追加のケーブルが前記経路を通って近位接続部品に連結されたシステムから遠位接続部品に連結されたシステムに到達することを可能にする、少なくとも１つの外形付けされた表面と、を備え、
前記経路の形状及び位置は、前記追加のケーブルの長さが、当該アクチュエータに使用される動きの実質的に全範囲に関して、ほぼ一定に留まるようなものである、
請求項１に記載のシステム。
【請求項１２】
前記第１のヒンジ式アクチュエータ、前記第２のヒンジ式アクチュエータおよび前記第３のヒンジ式アクチュエータのうちの少なくとも一つが、
近位接続部品を備える第１の本体と、
遠位接続部品を備える第２の本体と、
前記第１の本体の前記第２の本体に対する動きを、当該アクチュエータの遠位−近位軸に垂直な１つの軸を中心とした回転を除き全ての自由度において制限する、軸受システムと、
前記第１の本体及び前記第２の本体のうちの少なくとも１つに操作可能に連結されたプーリまたはキャプスタンのうちの少なくとも１つと、
前記プーリ及び前記キャプスタンのうちの前記少なくとも１つを作動させるように構成された、アクチュエータケーブルと、
当該アクチュエータによって画定され、かつ外形付けされた経路を形成して、複数の追加のケーブルが前記経路を通って前記近位接続部品に連結されたシステムから前記遠位接続部品に連結されたシステムに到達することを可能にする、少なくとも１つの外形付けされた表面と、を備え、
前記経路の形状及び位置は、前記追加のケーブルの長さが、当該アクチュエータに使用される動きの実質的に全範囲に関して、ほぼ一定に留まるようなものである、
請求項１に記載のシステム。
【請求項１３】
前記第１の回転式アクチュエータ、前記第２の回転式アクチュエータおよび前記第３の回転式アクチュエータのうちの少なくとも一つが、
近位接続部品を備える第１の本体と、
遠位接続部品を備える第２の本体と、
前記第１の本体の前記第２の本体に対する動きを、当該アクチュエータの遠位−近位軸を中心とした回転を除き全ての自由度において制限する、軸受システムと、
前記第１の本体または前記第２の本体のうちの少なくとも１つに操作可能に連結されたプーリまたはキャプスタンのうちの少なくとも１つと、
前記プーリ及び前記キャプスタンのうちの前記少なくとも１つを作動させるように構成された、アクチュエータケーブルと、
当該アクチュエータによって画定される孔であって、追加のケーブルが通って前記近位接続部品に連結されたシステムから前記遠位接続部品に連結されたシステムに到達することができるように構成された、前記アクチュエータケーブルの直径の少なくとも３倍の内径を有する穴と、を備え、
前記穴の形状及び位置は、前記追加のケーブルの長さが、当該アクチュエータに使用される動きの実質的に全範囲に関して、ほぼ一定に留まるようなものである、
請求項１に記載のシステム。
【請求項１４】
前記外科手術用エンドエフェクタは、
主把持体と、
前記主把持体に操作可能に連結される、第１の把持器ジョー部と、
前記主把持体に操作可能に連結される、第２の把持器ジョー部と、
アクチュエーションケーブルと、
前記第１の把持器ジョー部及び前記第２の把持器ジョー部のうちの少なくとも１つを、前記アクチュエーションケーブルと連結させる連結機構と、を備え、
前記連結機構により、前記アクチュエーションケーブルの動きに応答して、前記第１の把持器ジョー部または前記第２の把持器ジョー部のうちの少なくとも１つの遠位端の非線形の動きがもたらされる、
請求項１に記載のシステム。
【請求項１５】
前記主把持体、前記第１の把持器ジョー部、前記第２の把持器ジョー部、前記アクチュエーションケーブル、及び前記連結機構のうちの少なくとも１つに固定される、歪みゲージを更に備え、
前記第１の把持器ジョー部の遠位端及び前記第２の把持器ジョー部の遠位端との間の力の値が、前記歪みゲージからの情報に基づいて判定される、請求項１４に記載のシステム。
【請求項１６】
操作者インターフェースであって、前記歪みゲージからの情報に基づいて触覚的フィードバックを前記操作者インターフェースのユーザに提供するための触覚的フィードバックデバイスを含んでなる、操作者インターフェースを更に備える、請求項１５に記載のシステム。
【請求項１７】
前記第１の把持器ジョー部及び前記第２の把持器ジョー部のうちの少なくとも１つに操作可能に連結される少なくとも１つのバネを更に備える、請求項１４に記載のシステム。
【請求項１８】
前記把持器ジョー部の力及び前記把持器ジョー部の位置のうちの少なくとも１つを制御するためのソフトウェア制御ループ及びハードウェア制御ループのうちの少なくとも１つを更に備える、請求項１４に記載のシステム。
【請求項１９】
前記アクチュエーションケーブルに操作可能に連結された少なくとも１つのサーボモータを更に備える、請求項１４に記載のシステム。
【請求項２０】
前記第１の把持器ジョー部及び前記第２の把持器ジョー部のうちの少なくとも１つの位置を測定するための少なくとも１つの位置センサを更に備える、請求項１４に記載のシステム。
【請求項２１】
前記明視化システムは、前記中心体に操作可能に接続されている、請求項１に記載のシステム。
【外国語明細書】
2020036931000001.pdf